(57)【要約】      （修正有）【課題】アクセスポイントの隣接関係情報を収集する。【解決手段】隣接関係情報１１８は、アクセス端末の他の機能に著しい悪影響を与えない方法で収集され、報告される。アクセス端末１０２は、１つまたは複数の定義された無線状態中にのみ隣接関係情報を収集し、報告するように構成される。隣接関係情報の収集は、隣接関係閾値に基づく。アクセス端末は、測定した隣接関係情報を即座に報告せず、その代わりにその情報を後で報告するために記憶する。隣接関係情報のアクセス端末からの検索を円滑にするために、送信された指示が使用される。アクセス端末から収集した隣接関係情報は、アクセスポイント１０４、１０６間でダイレクトインターフェース１２２を介して交換される。【選択図】図１
2014150557.tif 000002
【特許請求の範囲】
【請求項１】
隣接関係情報を収集する方法において、
アクセス端末が規定の無線状態にあると判定することと、
前記アクセス端末が前記規定の無線状態にあるとの前記判定の結果、隣接関係情報に関する測定を行うことと
を備える方法。
【請求項２】
前記規定の無線状態は、隣接関係情報に関する前記測定が前記アクセス端末の少なくとも１つの指定の動作を妨害しないであろう状態を備える、
請求項１に記載の方法。
【請求項３】
前記少なくとも１つの指定の動作は、前記アクセス端末がトラフィックを送信するかまたはトラフィックを受信する少なくとも１つの動作を備える、
請求項２に記載の方法。
【請求項４】
前記少なくとも１つの指定の動作は、前記アクセス端末が隣接関係測定以外の測定を行う少なくとも１つの動作を備える、
請求項２に記載の方法。
【請求項５】
前記規定の無線状態は、ＩＤＬＥ状態、ＣＥＬＬ＿ＰＣＨ状態、ＤＲＸギャップを伴うＣＥＬＬ＿ＰＣＨ状態、ＵＲＡ＿ＰＣＨ状態、またはＣＥＬＬ＿ＦＡＣＨ状態を備える、
請求項１に記載の方法。
【請求項６】
隣接関係情報の前記測定は、前記アクセス端末が第１のセルのカバレージ内にある間に前記アクセス端末が受信できる、少なくとも１つのセルによって送信された信号を処理することを備え、
前記隣接関係情報は、前記第１のセルの隣接セルを識別する、
請求項１に記載の方法。
【請求項７】
前記第１のセルを介して隣接関係測定を受信することと、
隣接関係情報に関する前記測定を行うべきかどうか、または隣接関係情報に関する前記測定をどのように行うべきかを、前記受信した隣接関係測定基準に基づいて判断することと
をさらに備える、
請求項６に記載の方法。
【請求項８】
前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
請求項１に記載の方法。
【請求項９】
隣接関係情報を収集するための装置において、
前記装置が規定の無線状態にあると判定するように構成されたコントローラと、
前記装置が前記規定の無線状態にあるとの前記判定の結果、隣接関係情報に関する測定を行うように構成された受信機と
を備える装置。
【請求項１０】
前記規定の無線状態は、隣接関係情報に関する前記測定が前記装置の少なくとも１つの指定の動作を妨害しないであろう状態を備える、
請求項９に記載の装置。
【請求項１１】
前記少なくとも１つの指定の動作は、前記装置がトラフィックを送信するかまたはトラフィックを受信する少なくとも１つの動作を備える、
請求項１０に記載の装置。
【請求項１２】
前記少なくとも１つの指定の動作は、前記装置が隣接関係測定以外の測定を行う少なくとも１つの動作を備える、
請求項１０に記載の装置。
【請求項１３】
前記規定の無線状態は、ＩＤＬＥ状態、ＣＥＬＬ＿ＰＣＨ状態、ＤＲＸギャップを伴うＣＥＬＬ＿ＰＣＨ状態、ＵＲＡ＿ＰＣＨ状態、またはＣＥＬＬ＿ＦＡＣＨ状態を備える、
請求項９に記載の装置。
【請求項１４】
隣接関係情報の前記測定は、前記装置が第１のセルのカバレージ内にある間に前記装置が受信できる、少なくとも１つのセルによって送信された信号を処理することを備え、
前記隣接関係情報は、前記第１のセルの隣接セルを識別する、
請求項９に記載の装置。
【請求項１５】
前記受信機は、前記第１のセルを介して隣接関係測定基準を受信するようにさらに構成され、
前記コントローラは、隣接関係情報に関する前記測定を行うべきかどうか、または隣接関係情報に関する前記測定をどのように行うべきかを、前記受信した隣接関係測定基準に基づいて判断するようにさらに構成される、
請求項１４に記載の装置。
【請求項１６】
前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
請求項９に記載の装置。
【請求項１７】
隣接関係情報を収集するための装置において、
前記装置が規定の無線状態にあると判定するための手段と、
前記装置が前記規定の無線状態にあるとの前記判定の結果、隣接関係情報に関する測定を行うための手段と
を備える装置。
【請求項１８】
前記規定の無線状態は、隣接関係情報に関する前記測定が前記装置の少なくとも１つの指定の動作を妨害しないであろう状態を備える、
請求項１７に記載の装置。
【請求項１９】
前記規定の無線状態は、ＩＤＬＥ状態、ＣＥＬＬ＿ＰＣＨ状態、ＤＲＸギャップを伴うＣＥＬＬ＿ＰＣＨ状態、ＵＲＡ＿ＰＣＨ状態、またはＣＥＬＬ＿ＦＡＣＨ状態を備える、
請求項１７に記載の装置。
【請求項２０】
コンピュータプログラム製品において、
コンピュータに、
アクセス端末が規定の無線状態にあると判定させ、
前記アクセス端末が前記規定の無線状態にあるとの前記判定の結果、隣接関係情報に関する測定を行わせるためのコードを備えるコンピュータ可読媒体
を備えるコンピュータプログラム製品。
【請求項２１】
前記規定の無線状態は、隣接関係情報に関する前記測定が前記アクセス端末の少なくとも１つの指定の動作を妨害しないであろう状態を備える、
請求項２０に記載のコンピュータプログラム製品。
【請求項２２】
前記規定の無線状態は、ＩＤＬＥ状態、ＣＥＬＬ＿ＰＣＨ状態、ＤＲＸギャップを伴うＣＥＬＬ＿ＰＣＨ状態、ＵＲＡ＿ＰＣＨ状態、またはＣＥＬＬ＿ＦＡＣＨ状態を備える、
請求項２０に記載のコンピュータプログラム製品。
【請求項２３】
隣接関係情報を提供する方法において、
アクセス端末が規定の無線状態にあると判定することと、
前記アクセス端末が前記規定の無線状態にあるとの前記判定の結果、隣接関係情報を報告する旨のメッセージを送信することと
を備える方法。
【請求項２４】
前記規定の無線状態がＣＥＬＬ＿ＦＡＣＨ状態を備える、
請求項２３に記載の方法。
【請求項２５】
前記規定の無線状態がＣＥＬＬ＿ＤＣＨ状態を備える、
請求項２３に記載の方法。
【請求項２６】
前記規定の無線状態は、前記アクセス端末がアップリンクチャネルで信号を送信するように構成された状態を備える、
請求項２３に記載の方法。
【請求項２７】
前記隣接関係情報の前記報告が前記アクセス端末の少なくとも１つの指定の動作を妨害しないであろう時点を識別することをさらに備え、前記メッセージの前記送信が前記識別した時点に従ってスケジューリングされる、
請求項２３に記載の方法。
【請求項２８】
前記少なくとも１つの指定の動作は、前記アクセス端末がトラフィックを送信するかまたはトラフィックを受信する少なくとも１つの動作を備える、
請求項２７に記載の方法。
【請求項２９】
前記少なくとも１つの指定の動作は、前記アクセス端末が測定を行う少なくとも１つの動作を備える、
請求項２７に記載の方法。
【請求項３０】
前記アクセス端末は第１のセルによってサービスされ、
前記隣接関係情報は、前記第１のセルの隣接セルを識別する、
請求項２３に記載の方法。
【請求項３１】
前記第１のセルを介して隣接関係報告基準を受信することと、
前記隣接関係情報を報告すべきかどうか、または前記隣接関係情報をどのように報告すべきかを、前記受信した隣接関係報告基準に基づいて判断することと
をさらに備える、
請求項３０に記載の方法。
【請求項３２】
前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
請求項２３に記載の方法。
【請求項３３】
隣接関係情報を提供するための装置において、
前記装置が規定の無線状態にあると判定するように構成されたコントローラと、
前記装置が前記規定の無線状態にあるとの前記判定の結果、隣接関係情報を報告する旨のメッセージを送信するように構成された送信機と
を備える装置。
【請求項３４】
前記規定の無線状態がＣＥＬＬ＿ＦＡＣＨ状態を備える、
請求項３３に記載の装置。
【請求項３５】
前記規定の無線状態がＣＥＬＬ＿ＤＣＨ状態を備える、
請求項３３に記載の装置。
【請求項３６】
前記規定の無線状態は、前記装置がアップリンクチャネルで信号を送信するように構成された状態を備える、
請求項３３に記載の装置。
【請求項３７】
前記コントローラは、前記隣接関係情報の前記報告が前記装置の少なくとも１つの指定の動作を妨害しないであろう時点を識別するようにさらに構成され、
前記メッセージの前記送信が前記識別した時点に従ってスケジューリングされる、
請求項３３に記載の装置。
【請求項３８】
前記少なくとも１つの指定の動作は、前記装置がトラフィックを送信するかまたはトラフィックを受信する少なくとも１つの動作を備える、
請求項３７に記載の装置。
【請求項３９】
前記少なくとも１つの指定の動作は、前記装置が測定を行う少なくとも１つの動作を備える、
請求項３７に記載の装置。
【請求項４０】
前記装置は第１のセルによってサービスされ、
前記隣接関係情報は、前記第１のセルの隣接セルを識別する、
請求項３３に記載の装置。
【請求項４１】
前記受信機は、前記第１のセルを介して隣接関係報告基準を受信するようにさらに構成され、
前記コントローラは、前記隣接関係情報を報告すべきかどうか、または前記隣接関係情報をどのように報告すべきかを、前記受信した隣接関係報告基準に基づいて判断するようにさらに構成される、
請求項４０に記載の装置。
【請求項４２】
前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
請求項３３に記載の装置。
【請求項４３】
隣接関係情報を提供するための装置において、
前記装置が規定の無線状態にあると判定するための手段と、
前記装置が前記規定の無線状態にあるとの前記判定の結果、隣接関係情報を報告する旨のメッセージを送信するための手段と
を備える装置。
【請求項４４】
前記規定の無線状態がＣＥＬＬ＿ＦＡＣＨ状態を備える、
請求項４３に記載の装置。
【請求項４５】
前記規定の無線状態がＣＥＬＬ＿ＤＣＨ状態を備える、
請求項４３に記載の装置。
【請求項４６】
コンピュータプログラム製品において、
コンピュータに、
アクセス端末が規定の無線状態にあると判定させ、
前記アクセス端末が前記規定の無線状態にあるとの前記判定の結果、隣接関係情報を報告する旨のメッセージを送信させるためのコードを備えるコンピュータ可読媒体
を備えるコンピュータプログラム製品。
【請求項４７】
前記規定の無線状態がＣＥＬＬ＿ＦＡＣＨ状態を備える、
請求項４６に記載のコンピュータプログラム製品。
【請求項４８】
前記規定の無線状態がＣＥＬＬ＿ＤＣＨ状態を備える、
請求項４６に記載のコンピュータプログラム製品。
【請求項４９】
隣接関係情報を収集する方法において、
隣接関係測定のための閾値を維持管理することと、
信号を受信することと、
前記受信信号を前記閾値と比較することと、
隣接関係情報に関する測定を行うべきかどうかを、前記比較に基づいて判定することと
を備える方法。
【請求項５０】
サービングアクセスポイントから前記閾値を受信することをさらに備える、
請求項４９に記載の方法。
【請求項５１】
ドライブテストの最小化サーバから前記閾値を受信することをさらに備える、
請求項４９に記載の方法。
【請求項５２】
前記受信信号がパイロット信号を備える、
請求項４９に記載の方法。
【請求項５３】
前記受信信号がシステム情報信号を備える、
請求項４９に記載の方法。
【請求項５４】
ハンドオーバ動作のための測定を行うための別の１つの閾値を維持管理することをさらに備える、
請求項４９に記載の方法。
【請求項５５】
前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
請求項４９に記載の方法。
【請求項５６】
隣接関係情報を収集するための装置において、
隣接関係測定のための閾値を維持管理するように構成されたメモリ構成要素と、
信号を受信するように構成された受信機と、
前記受信信号を前記閾値と比較し、隣接関係情報に関する測定を行うべきかどうかを前記比較に基づいて判定するようにさらに構成されたコントローラと
を備える装置。
【請求項５７】
前記受信機が、サービングアクセスポイントから前記閾値を受信するようにさらに構成された、
請求項５６に記載の装置。
【請求項５８】
前記受信機が、ドライブテストの最小化サーバから前記閾値を受信するようにさらに構成された、
請求項５６に記載の装置。
【請求項５９】
前記受信信号がパイロット信号を備える、
請求項５６に記載の装置。
【請求項６０】
前記受信信号がシステム情報信号を備える、
請求項５６に記載の装置。
【請求項６１】
前記メモリ構成要素が、ハンドオーバ動作のための測定を行うための別の１つの閾値を維持管理するようにさらに構成された、
請求項５６に記載の装置。
【請求項６２】
前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
請求項５６に記載の装置。
【請求項６３】
隣接関係情報を収集するための装置において、
隣接関係測定のための閾値を維持管理するための手段と、
信号を受信するための手段と、
前記受信信号を前記閾値と比較するための手段と、
隣接関係情報に関する測定を行うべきかどうかを、前記比較に基づいて判定するための手段と
を備える装置。
【請求項６４】
サービングアクセスポイントから前記閾値を受信するための手段をさらに備える、
請求項６３に記載の装置。
【請求項６５】
前記受信信号がパイロット信号を備える、
請求項６３に記載の装置。
【請求項６６】
コンピュータプログラム製品において、
コンピュータに、
隣接関係測定のための閾値を維持管理させ、
信号を受信させ、
前記受信信号を前記閾値と比較させ、
隣接関係情報に関する測定を行うべきかどうかを、前記比較に基づいて判定させるためのコードを備えるコンピュータ可読媒体
を備えるコンピュータプログラム製品。
【請求項６７】
前記コンピュータ可読媒体が、前記コンピュータに、サービングアクセスポイントから前記閾値を受信させるためのコードをさらに備える、
請求項６６に記載のコンピュータプログラム製品。
【請求項６８】
前記受信信号がパイロット信号を備える、
請求項６６に記載のコンピュータプログラム製品。
【請求項６９】
隣接関係情報を提供する方法において、
アクセス端末において隣接関係情報を収集することと、
前記隣接関係情報はネットワークエンティティに即時に報告されるべきではないと判定することと、
前記隣接関係情報が即時に報告されるべきではないとの前記判定の結果、前記隣接関係情報を記憶することと
を備える方法。
【請求項７０】
前記隣接関係情報が即時に報告されるべきではないとの前記判定が、前記アクセス端末が規定の無線状態にないとの判定に基づく、
請求項６９に記載の方法。
【請求項７１】
前記規定の無線状態がＣＥＬＬ＿ＤＣＨ状態またはＣＥＬＬ＿ＦＡＣＨ状態を備える、
請求項７０に記載の方法。
【請求項７２】
前記記憶された隣接関係情報の前記報告をトリガする条件を識別することと、
前記条件の前記識別の結果、前記記憶された隣接関係情報を報告する旨のメッセージを送信することと
をさらに備える、
請求項６９に記載の方法。
【請求項７３】
前記メッセージは、前記アクセス端末が前記隣接関係情報を収集した少なくとも１つの時点を示す、
請求項７２に記載の方法。
【請求項７４】
前記メッセージは、前記隣接関係情報の一部分が有効ではないことを示す、
請求項７２に記載の方法。
【請求項７５】
前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
請求項６９に記載の方法。
【請求項７６】
隣接関係情報を提供するための装置において、
隣接関係情報を収集するように構成され、前記隣接関係情報がネットワークエンティティに即時に報告されるべきではないと判定するようにさらに構成されたコントローラと、
前記隣接関係情報が即時に報告されるべきではないとの前記判定の結果、前記隣接関係情報を記憶するように構成されたメモリ構成要素と
を備える装置。
【請求項７７】
前記隣接関係情報が即時に報告されるべきではないとの前記判定が、前記装置が規定の無線状態にないとの判定に基づく、
請求項７６に記載の装置。
【請求項７８】
前記規定の無線状態がＣＥＬＬ＿ＤＣＨ状態またはＣＥＬＬ＿ＦＡＣＨ状態を備える、
請求項７７に記載の装置。
【請求項７９】
前記コントローラは、前記記憶された隣接関係情報の前記報告をトリガする条件を識別するようにさらに構成され、
前記装置は、前記条件の前記識別の結果、前記記憶された隣接関係情報を報告する旨のメッセージを送信するように構成された送信機をさらに備える、
請求項７６に記載の装置。
【請求項８０】
前記メッセージは、前記装置が前記隣接関係情報を収集した少なくとも１つの時点を示す、
請求項７９に記載の装置。
【請求項８１】
前記メッセージは、前記隣接関係情報の一部分が有効ではないことを示す、
請求項７９に記載の装置。
【請求項８２】
前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
請求項７６に記載の装置。
【請求項８３】
隣接関係情報を提供するための装置において、
隣接関係情報を収集するための手段と、
前記隣接関係情報はネットワークエンティティに即時に報告されるべきではないと判定するための手段と、
前記隣接関係情報が即時に報告されるべきではないとの前記判定の結果、前記隣接関係情報を記憶するための手段と
を備える装置。
【請求項８４】
前記隣接関係情報が即時に報告されるべきではないとの前記判定が、前記装置が規定の無線状態にないとの判定に基づく、
請求項８３に記載の装置。
【請求項８５】
前記規定の無線状態がＣＥＬＬ＿ＤＣＨ状態またはＣＥＬＬ＿ＦＡＣＨ状態を備える、
請求項８４に記載の装置。
【請求項８６】
コンピュータプログラム製品において、
コンピュータに、
アクセス端末において隣接関係情報を収集させ、
前記隣接関係情報はネットワークエンティティに即時に報告されるべきではないと判定させ、
前記隣接関係情報が即時に報告されるべきではないとの前記判定の結果、前記隣接関係情報を記憶させるためのコードを備えるコンピュータ可読媒体
を備えるコンピュータプログラム製品。
【請求項８７】
前記隣接関係情報が即時に報告されるべきではないとの前記判定が、前記アクセス端末が規定の無線状態にないとの判定に基づく、
請求項８６に記載のコンピュータプログラム製品。
【請求項８８】
前記規定の無線状態がＣＥＬＬ＿ＤＣＨ状態またはＣＥＬＬ＿ＦＡＣＨ状態を備える、
請求項８７に記載のコンピュータプログラム製品。
【発明の詳細な説明】
【技術分野】
【０００１】
優先権の主張
本出願は、参照により本明細書にその開示が組み込まれた、２０１０年４月２８日に出願され、代理人整理番号１０１３５９Ｐ１の、本願の権利者が所有する米国仮特許出願第６１／３２８，８５６号の利益および優先権を主張する。
【０００２】
本出願は、一般にワイヤレス通信に関し、より詳細には、それだけには限らないが、隣接関係情報を管理することに関する。
【背景技術】
【０００３】
序論
ワイヤレス通信ネットワークは、地理的エリア内のユーザに様々なタイプのサービス（たとえば、ボイス、データ、マルチメディアサービスなど）を提供するために、その地理的エリアにわたって展開され得る。典型的な一実施態様では、あるネットワークによってサービスが提供される地理的エリア内で動作中のアクセス端末（たとえば、携帯電話）にワイヤレス接続を提供するために、そのネットワーク全体に（たとえば、１つまたは複数のセルに関連付けられた）複数のアクセスポイントが分散される。
【０００４】
一般に、所与の時点において、アクセス端末は、これらのアクセスポイントのうちの１つによってサービスされ得る。アクセス端末は、この地理的エリア全体にわたってローミングするにつれて、そのサービングセルから離れ、別のセルに近づくことがある。さらに、所与のセル内の信号状態は経時的に変化することがあり、それにより、アクセス端末は、最終的に別のセルによってより良くサービスされ得る。これらの状況下でアクセス端末の接続性を維持するために、アクセス端末はサービングセルから別のセルにハンドオーバされることがある。
【０００５】
これらのハンドオーバと他の動作を円滑にするために、ネットワーク内のアクセスポイントは、それら自体の隣接アクセスポイント（たとえば、ハンドオーバの潜在的ターゲットであり得る）を監視でき得る。たとえば、サービングアクセスポイントは、隣接アクセスポイントへのハンドオーバと連動してコンテキスト情報をその隣接アクセスポイントに送信でき得る。サービングアクセスポイントは、このコンテキストトランスファーを可能とするために、それ自体の隣接アクセスポイントを特定し、それら隣接アクセスポイントに関する他の情報（たとえば、所与のアクセスポイントに関連付けられた１つまたは複数のセルに関する情報）を提供する隣接関係情報を維持管理でき得る。
【０００６】
各アクセスポイントで維持管理される隣接関係情報は、中央集中型ネットワーク管理エンティティによって管理でき得る。たとえば、システム構成要素によって行われた測定および／またはいわゆる「ドライブテスト」に基づいて、システム管理者は、所与のセルの近傍にあるセルの特定を試みることができ、この情報に基づいて、そのセルで維持管理される隣接関係情報を更新でき得る。しかしながら実際には、このような集中型の、かつ／またはヒューマンベースのスキームは、所与のセルの隣接セルすべてを常に特定できるとは限らない。さらに、そのようなスキームは、比較的高い運用上および導入上のコストおよび複雑性を伴うことがある。したがって、隣接関係情報を管理するための改善された技法が必要である。
【発明の概要】
【０００７】
本開示のいくつかの例示的な態様の概要について以下で説明する。本概要は、読者の便宜のために提供されるものであり、本開示の幅を完全に定義するものではない。便宜上、本明細書では、いくつかの態様という用語は、本開示の単一の態様または複数の態様を指すために使用される。
【０００８】
本開示は、いくつかの態様では、隣接関係情報を管理することに関する。たとえば、いくつかの技法は、アクセス端末において隣接関係情報を収集し、この収集した隣接関係情報を報告し、ネットワークエンティティ間で隣接関係情報を交換するために記述されている。いくつかの態様では、本明細書の教示は、自動隣接関係（ＡＮＲ）動作において採用することができ、それによってエンティティは自律的に（たとえば、人、すなわちネットワークオペレータによる行為なしに）隣接関係情報を収集し、報告し、交換し、または更新でき得る。
【０００９】
本開示は、いくつかの態様では、隣接関係情報の収集によるアクセス端末の他の機能への悪影響を軽減する形で、アクセス端末において隣接関係情報を収集することに関する。たとえば、アクセス端末は、アクセス端末のページングまたは他の移動に関する性質に悪影響を与えない形で隣接関係情報をログすることができる。
【００１０】
いくつかの実施態様では、アクセス端末は、１つまたは複数の無線状態（たとえば、ＩＤＬＥ状態、ＣＥＬＬ＿ＰＣＨ状態、ＤＲＸギャップを伴うＣＥＬＬ＿ＰＣＨ状態、ＵＲＡ＿ＰＣＨ状態、またはＣＥＬＬ＿ＦＡＣＨ状態）中に隣接関係情報を収集する。たとえば、隣接関係情報の収集は、アクセス端末が定義された無線状態にあると判定することと、アクセス端末が定義された無線状態にあるという判定の結果として隣接関係情報に関する測定を行うこととを含み得る。
【００１１】
本開示は、いくつかの態様では、隣接関係閾値に基づいて隣接関係情報を収集することに関する。たとえば、アクセス端末は、１つまたは複数のセルから受信した信号が閾値を超えた場合に、隣接関係情報の測定だけをするように構成することができる。したがって、隣接関係情報の収集は、隣接関係測定に関する閾値を維持管理することと、信号を受信することと、受信した信号を閾値と比較することと、その比較に基づいて、隣接関係情報に関する測定を行うかどうかを判定することとを備えることができる。
【００１２】
本開示は、いくつかの態様では、アクセス端末からの隣接関係情報の検索を円滑にするための指示を使用することに関する。たとえば、通信の方法は、アクセス端末において隣接関係情報を収集することと、隣接関係情報がアクセス端末からの検索のために使用可能であることを示すメッセージを送信することとを備え得る。別の実施例として、通信の方法は、アクセス端末から第１のメッセージを受信することであって、第１のメッセージが隣接関係情報がアクセス端末からの検索のために使用可能であることを示すことと、第１のメッセージを受信した結果として第２のメッセージをアクセス端末に送信することとを備え、第２のメッセージはアクセス端末に隣接関係情報を要求する。
【００１３】
本開示は、いくつかの態様では、隣接関係情報を報告することがアクセス端末の電力消費（したがって、待機時間）とアクセス端末の他の機能とに与える悪影響を軽減する形で、隣接関係情報を報告することに関する。たとえば、アクセス端末は、１つまたは複数の無線状態（たとえば、ＣＥＬＬ＿ＤＣＨ状態またはＣＥＬＬ＿ＦＡＣＨ状態）中に隣接関係情報を報告することができる。したがって、隣接関係情報を提供することの一実施例は、アクセス端末が定義された無線状態にあると判定することと、アクセス端末が定義された無線状態にあるという判定の結果として隣接関係情報を報告するためにメッセージを送信することとを備え得る。
【００１４】
本開示は、いくつかの態様では、アクセス端末が何時隣接関係情報を報告するかを判定する隣接関係スキームに関する。たとえば、アクセス端末は、測定した隣接関係情報を即座に報告せず、その代わりにその情報を後で報告するために記憶することができるしたがって、隣接関係情報を提供する方法は、たとえばアクセス端末において隣接関係情報を収集することと、隣接関係情報がネットワークエンティティに対して即座に報告されないと判定することと、隣接関係情報が即座に報告されないという判定の結果として隣接関係情報を記憶することとを備え得る。
【００１５】
本開示は、いくつかの態様では、隣接関係情報をアクセスポイント間のダイレクトインターフェースを介して交換することに関する。たとえば、隣接関係情報通信方法は、第１のアクセスポイントと第２のアクセスポイントの間でダイレクトインターフェースを確立することと、第１のアクセスポイントでアクセス端末から隣接関係報告を受信することと、隣接関係報告の隣接関係情報を含む隣接関係メッセージを生成することと、隣接関係メッセージをダイレクトインターフェースを介して第２のアクセスポイントに送信することとを備え得る。
【００１６】
本開示のこれらおよび他の例示的な態様について、以下の詳細な説明および添付の特許請求の範囲、ならびに添付の図面において説明する。
【図面の簡単な説明】
【００１７】
【図１】隣接関係情報を管理するように構成された通信システムのいくつかの例示的な態様の簡略ブロック図。
【図２】隣接関係情報を管理するために実行できる動作のいくつかの例示的な態様のフローチャート。
【図３】隣接関係情報を管理するために実行できる動作のいくつかの例示的な態様のフローチャート。
【図４】隣接関係情報に関する測定を行うことに関連して実行され得る動作のいくつかの例示的な態様のフローチャート。
【図５】隣接関係情報に関する測定を行うかどうかを判定することに関連して実行され得る動作のいくつかの例示的な態様のフローチャート。
【図６】ネットワークリレーション情報が即座に報告されないスキームで実行され得る動作のいくつかの例示的な態様のフローチャート。
【図７】隣接関係情報が検索のために使用可能であるという指示を提供することに関連して実行され得る動作のいくつかの例示的な態様のフローチャート。
【図８】隣接関係情報が検索のために使用可能であるという指示の受信に応答して隣接関係情報を要求することに関連して実行され得る動作のいくつかの例示的な態様のフローチャート。
【図９】隣接関係情報を報告することに関連して実行され得る動作のいくつかの例示的な態様のフローチャート。
【図１０】隣接関係情報を交換することに関連して実行され得る動作のいくつかの例示的な態様のフローチャート。
【図１１】ネットワーク内で隣接関係情報を交換できる方法のいくつかの例を示す簡略ブロック図。
【図１２】ネットワーク内で隣接関係情報を交換できる方法のいくつかの例を示す簡略ブロック図。
【図１３】通信ノードにおいて採用され得る構成要素のいくつかの例示的な態様の簡略ブロック図。
【図１４】通信構成要素のいくつかの例示的な態様の簡略ブロック図。
【図１５】本明細書で教示する、隣接関係情報を管理するように構成された装置のいくつかの例示的な態様の簡略ブロック図。
【図１６】本明細書で教示する、隣接関係情報を管理するように構成された装置のいくつかの例示的な態様の簡略ブロック図。
【図１７】本明細書で教示する、隣接関係情報を管理するように構成された装置のいくつかの例示的な態様の簡略ブロック図。
【図１８】本明細書で教示する、隣接関係情報を管理するように構成された装置のいくつかの例示的な態様の簡略ブロック図。
【図１９】本明細書で教示する、隣接関係情報を管理するように構成された装置のいくつかの例示的な態様の簡略ブロック図。
【図２０】本明細書で教示する、隣接関係情報を管理するように構成された装置のいくつかの例示的な態様の簡略ブロック図。
【図２１】本明細書で教示する、隣接関係情報を管理するように構成された装置のいくつかの例示的な態様の簡略ブロック図。
【発明を実施するための形態】
【００１８】
慣例により、図面に示す様々な特徴は一定の縮尺で描かれていないことがある。したがって、様々な特徴の寸法は、分かりやすいように任意に拡大または縮小されることがある。さらに、図面のいくつかは、分かりやすいように簡略化されることがある。したがって、図面は、所与の装置（たとえば、デバイス）または方法の構成要素すべてを示していない場合がある。最後に、明細書および図の全体にわたって同じ特徴を示すために同じ参照番号が使用されることがある。
【００１９】
本開示の様々な態様について以下で説明する。本明細書の教示は多種多様な形態で実施でき、本明細書で開示されている特定の構造、機能、またはその両方は代表的なものにすぎないことは明らかであろう。本明細書の教示に基づいて、本明細書で開示される態様は他の態様とは独立に実装できること、およびこれらの態様のうちの２つ以上を様々な方法で組み合わせることができることを、当業者なら諒解されたい。たとえば、本明細書に記載の態様をいくつ使用しても、装置を実現し、または方法を実施することができる。さらに、本明細書に記載の態様のうちの１つまたは複数に加えて、あるいはそれら以外の他の構造、機能、または構造および機能を使用して、そのような装置を実現し、またはそのような方法を実施することができる。さらに、態様は、請求項の少なくとも１つの要素を備えることができる。
【００２０】
図１に、例示的な通信システム１００（たとえば、通信ネットワークの一部）のいくつかのノードを示す。説明のために、本開示の様々な態様を、１つまたは複数のアクセス端末とアクセスポイントとネットワークエンティティとが相互に通信し合っているという想定で記述する。ただし、本明細書の教示は、他のタイプの装置、または他の用語を使用して参照される他の同様の装置に適用可能であり得ることを諒解されたい。たとえば、様々な実施態様では、アクセスポイントは、無線アクセスネットワーク（ＲＡＮ）、無線ネットワークコントローラ（ＲＮＣ）、基地局、ノードＢ、ノードＢ＋、ｅノードＢ、基地局コントローラ（ＢＳＣ）、基地局トランシーバ（ＢＳＴ）などと呼ばれることがあり、または無線アクセスネットワーク（ＲＡＮ）、無線ネットワークコントローラ（ＲＮＣ）、基地局、ノードＢ、ノードＢ＋、ｅノードＢ、基地局コントローラ（ＢＳＣ）、基地局トランシーバ（ＢＳＴ）などとして実装されることがあり、アクセス端末は、ユーザ機器（ＵＥ）、移動局などと呼ばれることがあり、またはユーザ機器（ＵＥ）、移動局などとして実装されることがある。
【００２１】
システム１００中のアクセスポイントは、システム１００のカバレージエリア内に設置され得るか、またはシステム１００のカバレージエリア全体にわたってローミングし得る、１つまたは複数のワイヤレス端末（たとえば、アクセス端末１０２）に１つまたは複数のサービスへのアクセス（たとえば、ネットワーク接続性）を与える。たとえば、様々な時点で、アクセス端末１０２は、アクセスポイント１０４、アクセスポイント１０６、またはシステム１００中の何らかのアクセスポイント（図示せず）に接続し得る。これらのアクセスポイントの各々は、ワイドエリアネットワーク接続を円滑にするために、（便宜上、ネットワークエンティティ１０８によって表される）１つまたは複数の他のネットワークエンティティと通信し得る。
【００２２】
これらの他のネットワークエンティティは、たとえば、１つまたは複数の無線ネットワークエンティティ（すなわち、ネットワークに無線接続性を提供するエンティティ）、および／またはコアネットワークエンティティ（すなわち、ネットワークリソース管理および／またはプロビジョニング）などの様々な形式を取り得る。したがって、様々な実施態様では、ネットワークエンティティは、（たとえば、保守運用管理（ＯＡＭ）エンティティ、グローバルＯＡＭエンティティ、ドライブテスト（ＭＤＴ）サーバの最小化などによる）ネットワーク管理、呼制御、セッション管理、モビリティ管理、ゲートウェイ機能、インターワーキング機能のうちの１つまたは複数などの機能、または何らかの他の好適なネットワーク機能を表し得る。最低でも、ＯＡＭエンティティ（および、適用可能な場合はグローバルＯＡＭエンティティ）は、ネットワーク内のアクセスポイントの構成を受け持つ。いくつかの態様では、モビリティ管理は、追跡エリア、ロケーションエリア、ルーティングエリア、または何らかの他の好適な技法を使用することによってアクセス端末の現在のロケーションを追跡することと、アクセス端末のページングを制御することと、アクセス端末のためのアクセス制御を行うことに関する。これらのネットワークエンティティのうちの２つ以上が共同設置され得、および／またはこれらのネットワークエンティティのうちの２つ以上がネットワーク全体にわたって分散され得る。
【００２３】
図１の例では、アクセスポイント１０４は一対のセル１Ａおよび１Ｂを含み、アクセスポイント１０６は一対のセル２Ａおよび２Ｂを含む。これらのセルの各々は、そのセルに関する情報を提供する信号（破線１１０および１１２によって表される）をブロードキャストする。たとえば、セルは、そのセルが使用するプライマリスクランブリングコード（ＰＳＣ）を示す基準信号（たとえば、パイロット信号）をブロードキャストする。さらに、セルは、そのセルの１つまたは複数の識別子と、そのセルに関する他の情報とを含むメッセージ（たとえば、システム情報を含む）をブロードキャストすることができる。
【００２４】
本明細書の教示によれば、アクセス端末は、隣接関係情報を収集するために近隣セルから信号を受信し、この隣接関係情報を関連付けられたアクセスポイントに提供するように構成されている。このようにして、アクセスポイントは、それらアクセスポイント自体の隣接アクセスポイントに関する情報を収集することができる。図１の例では、アクセス端末１０２の隣接関係測定構成要素１１４は、セル１Ａ、１Ｂ、２Ａ、および２Ｂ（および図示しないいずれかの他の近隣セル）によって送信される信号を処理して隣接関係情報を収集する。アクセス端末１０２の隣接関係報告構成要素１１６は、破線１１８によって表されるように、収集した隣接関係情報をアクセスポイント１０４に送る。したがって、アクセスポイント１０４は、この情報に基づいてそれ自体の隣接関係テーブル１２０を更新することができる。
【００２５】
これらの測定と報告の動作は、本明細書で教示する技法のうちの１つまたは複数を採用して、システム１００のエンティティにさらに効率的かつ正確な隣接関係情報を提供することができる。たとえば、測定は、アクセス端末１０２の他の機能に対する悪影響を軽減する形で（たとえば、特定の条件のもとで）実行することができる。別の実施例として、報告は、アクセス端末１０２の電力消費に対するこの報告の悪影響を軽減する形で（たとえば、特定の条件のもとで）実行することができる。同様に、アクセス端末１０２は、信号の閾値を使用して隣接関係情報に関する測定の信頼性を確保することができる。いくつかの実施態様では、アクセス端末１０２は、測定を行うかどうか、および／またはどのように（たとえば、何時）隣接関係情報を報告するかを決定する。たとえば、アクセス端末１０２は、それ自体が収集した隣接関係情報を即時に報告しなくてもよい。同様に、アクセス端末１０２とアクセスポイント１０４が隣接関係情報の交換を何時開始するかを効率的に判断できるようにするために、ある指示を採用することができる。
【００２６】
本明細書の教示によれば、さらに効率的なＡＮＲを容易にするために、隣接関係情報をあるネットワークエンティティから別のネットワークエンティティに直接送信することができる。たとえば、アクセスポイント１０４とアクセスポイント１０６とはダイレクトインターフェース１２２を設定し、次いでダイレクトインターフェース１２０を介して隣接関係情報を交換することができる。したがって、アクセスポイント１０４は、それ自体の隣接関係テーブル１２０から隣接関係情報（たとえば、アクセス端末１０２から受信した隣接関係情報）をアクセスポイント１０６に送信することができ、その結果、アクセスポイント１０６はその隣接関係情報に従って隣接関係テーブル１２４を更新することができる。反対に、アクセスポイント１０６は、それ自体の隣接関係テーブル１２４から隣接関係情報をアクセスポイント１０４に送信することができ、その結果、アクセスポイント１０４はその隣接関係情報に従って隣接関係テーブル１２０を更新することができる。ここで、インターフェースという用語は、エンティティ同士の通信を可能にするためにエンティティ間に確立された論理的通信チャネルを指す。さらに、ダイレクトインターフェースという用語は、いかなる介在するエンティティにもよらず、エンドポイントエンティティによって終端されるインターフェースを指す。
【００２７】
アクセスポイント１０４および１０６は、システム１００内の他のネットワークエンティティと隣接関係情報を交換することができる。たとえば、アクセスポイント１０４および１０６は、それぞれの隣接関係テーブル１２０および１２４から隣接関係情報をネットワークエンティティ１０８に送信することができ、その結果、ネットワークエンティティ１０８はその隣接関係情報に従って隣接関係テーブル１２６を更新することができる。反対に、ネットワークエンティティ１０８は、それ自体の隣接関係テーブル１２６から隣接関係情報をアクセスポイント１０４および１０６に送信することができ、その結果、それらアクセスポイントはその隣接関係情報に従ってそれぞれの隣接関係テーブル１２０および１２４を更新することができる。
【００２８】
上記に鑑みて、所与のネットワークエンティティによって維持管理される隣接関係情報は様々な方法でそのネットワークエンティティによって収集され得ることが理解されよう。ネットワークエンティティは、あるアクセス端末からの隣接関係情報を、別のネットワークエンティティから受信することができ、またはネットワークエンティティは、隣接関係情報をそれ自体で収集することができる。後者の場合の一実施例として、ネットワークエンティティは、セルによって送信された信号の収集が可能な無線技術を取り入れることができる（たとえば、アクセスポイントはネットワークリッスンモジュールを含み得る）。
【００２９】
図１１および１２に関連して以下でより詳細に説明するように、ネットワークエンティティは、隣接関係情報を多くの異なるタイプのネットワークエンティティと交換することができる。たとえば、ネットワークエンティティ（たとえば、無線ネットワークエンティティまたはコアネットワークエンティティ）は、隣接関係情報を対応するインターフェースを介してアクセスポイント、ＯＡＭ、グローバルＯＡＭ、ＭＤＴサーバ、コアネットワークエンティティ、などと交換することができる。いくつかの場合において、隣接関係情報は、別のネットワークエンティティ（たとえば、ＯＡＭまたはコアネットワークエンティティ）を介して宛先ネットワークエンティティに送信される。したがって、隣接関係情報は複数のインターフェースを介して送信され得る。いくつかの場合において、隣接関係情報は、異なる無線アクセス技術に関連付けられた宛先ネットワークエンティティに送信される（たとえば、ネイバー情報のＲＡＴ間交換（inter-RAT exchange））。
【００３０】
これらのインターフェースを使用することによって、エンティティは自律的に（たとえば、人、すなわちオペレータの行為なしに）隣接関係情報を交換することができる。したがって、ネットワーク内の各エンティティは、本明細書の教示を採用して、それぞれのエンティティにおいて正確な隣接関係情報を効率良く維持管理するＡＮＲ機能を実施することができる。
【００３１】
隣接関係情報は、所与の実施態様において入手可能な情報のタイプに応じて様々な形式を取り得る。たとえば、隣接関係情報は、隣接するセルのＩＤ（たとえば、ＵＭＴＳ（ＵＴＲＡＮ）におけるセルＩＤ、ＬＴＥまたはＧＳＭ（登録商標）におけるセルグローバル識別子（ＣＧＩ）、ＬＴＥにおける限定加入者グループ（ＣＳＧ））、アクセス権情報（たとえば、ＣＳＧ情報）、パスロス情報、受信信号品質指標（たとえば、共通パイロットチャネル（ＣＰＩＣＨ）チップエネルギー対干渉密度比（Ｅｃ／Ｉｏ）、信号対雑音比（ＳＮＲ）など）、ブロードキャスト電力情報、ブロードキャスト情報が収集されたセルの近隣リスト、スループットおよび／または接続数換算による相対的または絶対的なセル負荷情報、カバレージの問題に起因するドロップした、すなわち劣った状態の呼／ＵＥの量、数、または比率、望ましくなく（たとえば、フェムトセルからマクロネットワークに）渡された呼／ＵＥの量、数、または比率、または確認された多重録音（ping-ponging）の量の１つまたは複数を含み得る。
【００３２】
例示的な隣接関係動作について、図２〜図１０のフローチャートに関連してより詳細に説明する。便宜上、図２〜図１０の動作（または、本明細書で説明または教示する他のいかなる動作）については、特定の構成要素（たとえば、図１、図１１、図１２、図１３などの構成要素）によって実行されるものとして説明することがある。ただし、これらの動作は、他のタイプの構成要素によって実行でき、異なる個数の構成要素を使用して実行できることを諒解されたい。また、本明細書で説明する動作の１つまたは複数は、所与の実施態様では採用されない場合があることを諒解されたい。
【００３３】
最初に図２および図３を参照すると、このフローチャートは、隣接関係情報を収集し、この情報をアクセスポイントに報告しているアクセス端末に関連して実行され得るいくつかの例示的な動作を記述している。この例では、このアクセス端末はこのアクセスポイントと何らかの形式の関連を確立したものと考える。たとえば、このアクセス端末はこのアクセスポイントにすでに登録しており、このアクセスポイントがこのアクセス端末に現在サービスしている、などである。
【００３４】
アクセス端末は、様々な方法で隣接関係機能を実行するように構成され得る。たとえば、アクセス端末は、特定の隣接関係の機能性を提供するよう、関連する管理エンティティ（たとえば、ＭＤＴサーバ）によって構成され得る。別の実施例として、アクセス端末は、一度、所与のアクセスポイントに帰属する（たとえば、登録する）と、特定の隣接関係の機能性を提供するように構成され得る。いくつかの実施態様では、ネットワーク事業者によるアクセス端末の配置の際、アクセス端末は特定の隣接関係の機能性を提供するように構成され得る。この場合、アクセス端末は、後の時点で別の１つのエンティティによって（たとえば、報告を開始するように）さらに設定され得る。
【００３５】
図２のブロック２０２によって表されるように、ある時点においてネットワークエンティティはアクセス端末にメッセージを送り、隣接関係動作を可能とする。たとえば、ＭＤＴサーバまたはアクセスポイントは、アクセスポイントにコマンドを送って、アクセスポイントが隣接関係関連の測定および／または報告を開始してよいかどうか命令することができる。このようなメッセージは、アクセス端末がどのように隣接関係関連の測定および／または報告を実行すべきかを指定することもできる。たとえば、このメッセージは、測定および／または報告のタイミングを指定する隣接関係測定および／または報告基準を（たとえば、アクセス端末が測定し、かつ／または報告する時刻または時間期間を指定することによって）含むことができる。このメッセージは、測定に関連して使用されるべき閾値を指定する隣接関係測定基準を含むことができる。このメッセージは、アクセス端末が測定および／または報告に関連して使用すべき隣接関係特有の１つまたは複数のパラメータを含むことができる。このメッセージは、測定し、かつ／または報告されるべき情報のタイプを指定することができる。このメッセージは、隣接関係情報に関して監視されるべき潜在的なセルに関する情報を指定する隣接関係測定および／または報告基準を含むことができる（たとえば、識別子、ロケーション、エリアコード、ＣＳＧ、ＲＡＴタイプ、およびＰＬＭＮ  ＩＤ）。
【００３６】
ブロック２０２のメッセージは様々な方法で送ることができる。たとえば、アクセスポイントはアクセスポイントにユニキャストメッセージを直接送信するか、またはアクセスポイントはメッセージをブロードキャストすることができる。別の実施例として、ＭＤＴサーバは、オープンモバイルアライアンスデバイス管理（ＯＭＡ  ＤＭ）プロトコルを使用してアクセス端末にメッセージを送ることができる。
【００３７】
ブロック２０４によって表されるように、アクセス端末は、ブロック２０２において送信されたメッセージをそれ自体のサービングセルを介して受信する。アクセス端末がどのように構成されているかに応じて、アクセスは、受信したメッセージに対して即時にまたはまた別の時に働きかけることができる。
【００３８】
ブロック２０６によって表されるように、受信したメッセージ（また、場合によっては他の構成動作）に基づいて、アクセス端末は、アクセス端末が隣接関係情報に関する測定を行うかどうか、および／またはどのように（たとえば、何時）アクセス端末が隣接関係情報に関する測定を行うかに関して設定される。たとえば、アクセス端末は、受信したメッセージに含まれる隣接関係測定に基づいて、測定を行うかどうか、および／またはどのように（たとえば、何時）測定を行うかを判断することができる。いくつかの場合において、アクセス端末は指定の時点で測定するように設定される。いくつかの場合において、アクセス端末は指定の条件のもとで測定するように設定される。たとえば、アクセス端末は、指定の無線状態（または、一組の指定の無線状態のいずれか）で動作中の時のみ測定されるように設定されることがある。いくつかの場合において、アクセス端末は、測定を行っている際に特定の測定基準（たとえば、閾値）を使用するように構成される。いくつかの場合において、アクセス端末はそれ自体の現在動作中の環境をチェックして測定を行うかどうかを判定する。たとえば、アクセス端末は、測定の機会がアクセス端末のために構成されているかどうか、測定のために利用可能な十分なリソース（たとえば、アンテナおよび受信チェーン）がアクセス端末にあるかどうか、または増分電力消費が低減され得る形で測定を行うことができるかどうかを判定することができる。いくつかの場合において、アクセス端末が、近隣セルが隣接関係測定基準によって指定された識別子、エリアコード、ＣＳＧ、ＲＡＴタイプ、またはＰＬＭＭタイプのうちの１つまたは複数を報告しているとアクセス端末が判断した場合、隣接関係情報に関する測定は条件付きで（たとえば、他の条件に従って）許可され得る。
【００３９】
ブロック２０８によって表されるように、受信したメッセージ（また、場合によっては他の構成動作）に基づいて、アクセス端末は、アクセス端末が隣接関係情報を報告すべきかどうか、および／またはアクセス端末がどのように隣接関係情報を報告すべきかに関して設定される。たとえば、アクセス端末は、受信したメッセージに含まれる隣接関係測定基準に基づいて、報告を行うべきかどうか、および／またはどのように報告を行うべきかを判断することができる。いくつかの場合において、アクセス端末は指定の時点で報告するように設定される。いくつかの場合において、アクセス端末は指定の条件のもとで報告するように設定される。たとえば、アクセス端末は、指定の無線状態（または、一組の指定の無線状態のいずれか）で動作中の時のみ報告するように設定されることがある。いくつかの場合において、アクセス端末は、特定の報告基準を使用する（たとえば、隣接関係情報が検索のために利用可能な場合は、ある指示が送られる）ように設定される。
【００４０】
ブロック２１０によって表されるように、ある時点において（たとえば、ブロック２０６の設定に基づいて）アクセス端末は隣接関係情報に関する測定を開始する。図４に関連して以下で説明するように、いくつかの実施態様では、アクセス端末が規定の無線状態にある場合に測定が開始される。図５に関連して以下で説明するように、いくつかの実施態様では、アクセス端末によって受信された特定の信号が隣接関係特有の閾値よりも大きいかそれに等しい場合に測定が開始される。
【００４１】
ブロック２１２によって表されるように、アクセス端末は、それ自体の１つまたは複数の受信機を使用して近隣セルから信号を受信する。ここで、アクセス端末は、そのエリア内のいずれかのセルから信号を収集すべく試みて周波数内測定、異周波数間測定、またはＲＡＴ間測定を行うことができる。
【００４２】
上述のように、アクセス端末は、異なる実施態様において異なるタイプの信号を測定することができる。典型的なシナリオでは、アクセス端末は、セルによって送信された基準信号（たとえば、パイロット信号）およびシステム情報の検出を試みる。さらに、アクセス端末は、（たとえば、ブロック２０６の設定によって指定されるような）受信した信号から様々なタイプの情報を導出する（たとえば、抽出する）ことができる。
【００４３】
図３のブロック２１４によって表されるように、アクセス端末は、場合によっては収集した隣接関係情報を記憶することを決定し得る。たとえば、アクセス端末は、収集した隣接関係情報を即時に報告しない場合にはこの情報を記憶することになる。
【００４４】
ブロック２１６によって表されるように、いくつかの実装態様では、アクセス端末は、検索のために利用可能な隣接関係情報を有しているという指示を送る。この情報は、たとえば、隣接関係情報を報告するようにそのアクセス端末に要求した（たとえば、ブロック２０２）エンティティに送られ得る。これらの動作については、図７に関連して以下でより詳細に説明する。
【００４５】
ブロック２１８によって表されるように、ブロック２１６においてアクセス端末が指示を送る実施態様では、その指示を受け取るネットワークエンティティは、その後、アクセス端末に隣接関係情報の要求を送ることがある。これらの動作については、図８に関連して以下でより詳細に説明する。
【００４６】
ブロック２２０によって表されるように、ある時点において、アクセス端末は隣接関係情報の報告を開始する。この報告は、ブロック２１８に記載の要求の受信によって、かつ／またはブロック２０８の構成に基づいてトリガされ得る。後者の場合の一実施例として、いくつかの実装態様では、アクセス端末が図９に関連して以下でより詳細に説明するように規定の無線状態にある場合、この報告が開始される。
【００４７】
ブロック２２２によって表されるように、アクセス端末は、それ自体の送信機を使用して、隣接関係情報を含む１つまたは複数のメッセージを送る。このようなメッセージは、ネイバー情報報告を要求したエンティティに、また場合によっては何らかの他のエンティティに送信され得る。通常、アクセス端末は、関連するアクセスポイントがそのアクセス端末の近隣について知ることができるようにすべく、そのアクセスポイントにアクセス端末の隣接関係情報を送ることになる。
【００４８】
ここで、アクセス端末は、そのアクセス端末自体が特定のアクセスポイントのカバレージ内にあった間に近隣セルから確実に収集できた隣接関係情報を識別することによって、その特定のアクセスポイントに対応する隣接関係情報を識別することができる。ここで、アクセス端末が近隣セルから確実に情報を収集できるかどうか、および／またはアクセス端末がアクセスポイントのカバレージ内にあるかどうかの判断は、特定の信号収集基準（たとえば、最小の受信信号強度および／または信号復号誤り率）に基づき得る。したがって、言い換えれば、隣接関係情報の測定は、アクセス端末がサービングセルのカバレージ内にある間にアクセス端末が受信できる、少なくとも１つのセルによって送信された信号を処理することを含む場合がある。
【００４９】
ブロック２２４によって表されるように、アクセスポイントはアクセス端末から隣接関係メッセージを受信する。この情報が受信されると、アクセスポイントはそれ自体の隣接関係テーブルを更新する。
【００５０】
ブロック２２６によって表されるように、アクセスポイントは、それ自体の隣接関係情報を別の１つのネットワークエンティティ（または他の複数のネットワークエンティティ）と交換することができる。たとえば、図１０に関連して以下でより詳細に説明するように、アクセスポイントは、ダイレクトインターフェース（たとえば、ＵＴＲＡＮ  ＩｕｒインターフェースまたはＥ−ＵＴＲＡＮ  Ｘ２インターフェース）を介して別の１つのアクセスポイントと隣接関係情報を交換することができる。
【００５１】
図４は、隣接関係情報に関する測定を行うことに関連して実行され得る例示的な動作を示す。有利には、図４の技法は、アクセス端末の他の機能（たとえば、他のより優先順位の高い測定、トラフィック、または機能）に悪影響を与えずにアクセス端末に隣接関係測定を行うことを可能にする一方で、同時にそれらの測定が行われることによる電力消費への悪影響を軽減する。したがって、これらの動作または他の類似の動作は、ＡＮＲ動作に関してアクセス端末（たとえば、ＵＥ）に「ベストエフォート」を行うことのみが要求される状況で採用される場合がある。たとえば、アクセス端末は、図４の技法を使用して、アクセス端末のページングまたは移動に関する性質に悪影響を与えない形で、対象となる検出されたセルの（レイヤ２の情報を収集するために）システム情報ブロックを読み取ることができる。したがって、いくつかの態様では、規定の無線状態は、隣接関係情報のための測定がアクセス端末の少なくとも１つの指定の動作を妨害しないであろう状態を含むことができる（たとえば、隣接関係測定以外の測定、またはアクセス端末がトラフィックを送るかまたはトラフィックを受信する動作）。
【００５２】
ブロック４０２によって表されるように、アクセス端末は（たとえば、本明細書で説明するように）隣接関係測定を行うように構成される。ブロック４０４によって表されるように、アクセス端末が隣接関係測定を行うように構成された後のある時点において、アクセス端末は、そのような測定を行い得る無線状態として規定されている無線状態にあると判断する。たとえば、ＵＭＴＳの実施態様では、アクセス端末は、ＩＤＬＥ状態、ＣＥＬＬ＿ＰＣＨ状態、ＤＲＸギャップを伴うＣＥＬＬ＿ＰＣＨ状態、ＵＲＡ＿ＰＣＨ状態、またはＣＥＬＬ＿ＦＡＣＨ状態のうちの１つまたは複数を含む一組のＵＭＴＳ無線状態（すなわち、無線リソース制御状態）のいずれか１つにある場合は、隣接関係情報に関する測定だけを行うというように設定することができる。
【００５３】
ブロック４０６によって表されるように、ブロック４０４の判定の結果、アクセス端末は、隣接関係情報に関する１つまたは複数の測定を行う。したがって、所与のセルから受信した信号に基づいて、アクセス端末は、たとえば、セル識別子と、ＣＧＩと、ＰＬＭＮ識別子と、トラッキングエリアコード（ＴＡＣ）と、ロケーションエリアコード（ＬＡＣ）と、ルーティングエリアコード（ＲＡＣ）と、基準信号情報（たとえば、パイロット信号に関連付けられた識別子）と、信号品質尺度（たとえば、Ｅｃ／Ｉｏ、ＲＳＣＰ）と、他の情報のうちの１つまたは複数を収集することができる。測定が何らかの他の理由から（たとえば、何らかの他の条件が満たされなくなった、または測定が完了した）早期に終了しない限り、アクセス端末は、もはや、規定の無線状態ではないという指示を受信するまでは、測定を行い続けることができる。
【００５４】
図５は、閾値を使用して隣接関係情報に関する測定を行うことに関連して実行され得る例示的な動作を示す。たとえば、隣接関係ロギング閾値が満たされた場合（当てはまる場合は、他の条件が満たされた場合）、アクセス端末（たとえば、ＵＥ）は検出されたセルをログすることが許可され得る。
【００５５】
ブロック５０２によって表されるように、アクセス端末は、隣接関係測定のための少なくとも１つの閾値を維持管理する。いくつかの場合において、アクセス端末には閾値が設定される。たとえば、ネットワークエンティティ（たとえば、アクセスポイントまたはＭＤＴサーバ）は、閾値情報をアクセス端末に送信することができる。場合によっては、閾値は内部のアクセス端末閾値である。
【００５６】
ブロック５０４で表されるように、場合によっては、アクセス端末は、ハンドオーバ測定用の異なる閾値を維持管理する。ここで、ハンドオーバ関連測定用の閾値は隣接関係関連測定用の閾値に類似している場合があることを諒解されたい（たとえば、両方の閾値とも同じタイプの測定に対応している場合がある）。むしろ、いくつかの場合において閾値は同じであってよく、そのことから、単一の閾値が両方の動作のために使用され得る。しかし典型的には、これらの動作は異なる値の閾値を採用することになり、それら閾値は信号品質または信号強度の異なる尺度（たとえば、Ｅｃ／Ｉｏ対何らかの他の信号品質の尺度）に対応し得る。
【００５７】
ブロック５０６で表されるように、ある時点で、アクセス端末は、少なくとも１つの近隣セルから信号を受信する。たとえば、アクセス端末は１つのセルから基準信号を受信することができ、またはアクセス端末は、その１つのセルに関するシステム情報を伝える信号を受信することができる。ブロック５０８によって表されるように、アクセス端末は、この受信した信号を閾値と比較する。
【００５８】
ブロック５１０によって表されるように、アクセス端末は、ブロック５０８の比較に基づいて、隣接関係情報に関する測定を行うべきかどうかを判定する。たとえば、受信した信号の大きさが閾値よりも大きいかそれに等しい場合、アクセス端末は、ブロック５０６の信号を提供した１つまたは複数のセルから受信したシステム情報をロギングすることができる。
【００５９】
図６は、収集した隣接関係情報をアクセス端末が即時に報告しない場合に実行され得る例示的な動作を示す。たとえば、アクセス端末（たとえば、ＵＥ）は、ネットワークエンティティ（たとえば、ＭＤＴサーバまたはアクセスポイント）によってまだ検索されていないいずれのログも記憶することができる。
【００６０】
ブロック６０２によって表されるように、ある時点において、アクセス端末は隣接関係情報を収集する。たとえば、本明細書で説明するように、アクセス端末は、近隣セルから信号を受信し、それらの信号から適切な隣接情報（たとえば、識別子など）を抽出する。
【００６１】
ブロック６０４によって表されるように、特定の条件下で、アクセス端末は、隣接関係情報はネットワークエンティティに即時に報告されるべきではないと判断する。たとえば、アクセス端末は、特定の条件が満たされるまで報告を遅らせることができ（たとえば、図４に示すように）、またはアクセス端末は、ネットワークエンティティが情報を要求するまで情報を維持管理することができる（たとえば、図７および８に示すように）。
【００６２】
ブロック６０６によって表されるように、アクセス端末は、ブロック６０４の判断の結果、隣接関係情報を記憶する。たとえば、アクセス端末は、後の時点における検索のために情報を（たとえば、ＲＡＭまたはフラッシュメモリなどのメモリデバイスを備える）メモリ構成要素で維持管理することができる。
【００６３】
ブロック６０８によって表されるように、アクセス端末は、記憶した隣接関係情報の報告をトリガする条件を識別する。このような報告の条件は、たとえばネットワークエンティティ（たとえば、上記で参照したＭＤＴサーバまたはアクセスポイント）から受信したコマンドによって指定することができる。上述のように、このトリガは、（たとえば、図４で示すような）指定の条件または（たとえば、図７および８に示すような）情報の要求に対応し得る。ブロック６１０によって表されるように、ブロック６０８の条件を識別すると、アクセス端末は、記憶した隣接関係情報を報告する旨のメッセージを（たとえば、ＭＤＴサーバまたはアクセスポイントに）送信する。いくつかの場合において、このメッセージは、アクセス端末が隣接関係情報を収集した少なくとも１つの時点を示す。いくつかの場合において、メッセージは、隣接関係情報の一部分が有効ではないことを示す。
【００６４】
図７および８は、検索のために利用可能な隣接関係情報をアクセス端末が有しているという指示をそのアクセス端末が提供する一実装態様において実行され得る例示的な動作を示す。たとえば、アクセス端末（たとえば、ＵＥ）は、アクセス端末によって送られるメッセージ（たとえば、ＲＲＣ＿ＣＯＮＮＥＣＴＩＯＮ＿ＣＯＭＰＬＥＴＥ、ＣＥＬＬ  ＵＰＤＡＴＥ、ＵＲＡ  ＵＰＤＡＴＥ、ＵＲＡ  ＵＰＤＡＴＥ、またはＭＥＡＳＵＲＥＭＥＮＴ  ＲＥＰＯＲＴ）に１ビットの指示子を含めることによって隣接関係ログの利用可能性を示すことができる。この場合、ネットワーク（たとえば、ＭＤＴサーバまたはアクセスポイント）は、この指示子に基づいて隣接関係ログに検索するかどうかを判定することができる（ＵＥがＣＥＬＬ＿ＤＣＨ状態またはＣＥＬＬ＿ＦＡＣＨ状態にある時に）。
【００６５】
図７は、アクセス端末において実行され得る例示的な動作を記述する。ブロック７０２によって表されるように、アクセス端末は、本明細書で説明するように隣接関係情報を収集し、その情報を記憶する。
【００６６】
ブロック７０２によって表されるように、アクセス端末は、隣接関係情報が検索のために利用可能であることを示すメッセージを送る。たとえば、アクセス端末は、アクセス端末のサービングアクセスポイントにこの条件の明示的指示を送ることができる。ブロック７０４のメッセージは、専用メッセージ（すなわち、この指示を送るためにのみ使用されるメッセージ）か、または非専用メッセージ（すなわち、他の情報ならびにこの指示を送るために使用されるメッセージ）を含むことができる。メッセージは、たとえば無線リソース制御（ＲＲＣ）メッセージなど、様々な形式を取ることができる。
【００６７】
いくつかの場合において、アクセス端末は、収集した隣接関係情報のすべてを単一の報告メッセージで送信できるとは限らないと判定する場合がある。その結果、アクセス端末は、追加の隣接関係情報が検索のために利用可能なことを示す別の１つのメッセージを送信することができる。このような他のメッセージは、この目的専用のメッセージか、または追加の隣接関係情報が検索のために利用可能な旨の明示的指示を含めた別のタイプのメッセージ（たとえば、別のＲＲＣメッセージ）であってよい。
【００６８】
ブロック７０６によって表されるように、アクセス端末は、ブロック７０４のメッセージに応答して隣接関係情報の要求を受信する。たとえば、アクセス端末は、アクセス端末自体のサービングアクセスポイントからこの要求を含むメッセージを受信する場合がある。ブロック７０８によって表されるように、アクセス端末は、ブロック７０６の要求受信の結果、隣接関係情報を（たとえば、サービングアクセスポイントに）送信する。したがって、アクセス端末は、たとえば、セル識別子と、ＣＧＩと、ＰＬＭＮ識別子と、トラッキングエリアコード（ＴＡＣ）と、ロケーションエリアコード（ＬＡＣ）と、ルーティングエリアコード（ＲＡＣ）と、信号品質尺度と、他の情報のうちの１つまたは複数を報告することができる。
【００６９】
図８は、ネットワークエンティティ（たとえば、ＭＤＴサーバまたはアクセスポイント）において実行され得る例示的な動作を記述する。ブロック８０２によって表されるように、ネットワークエンティティは、隣接関係情報が検索のために利用可能であることを示すメッセージをアクセス端末から受信する。ブロック８０４によって表されるように、ブロック８０２のメッセージ受信の結果、ネットワークエンティティは、隣接関係情報を要求するメッセージ（たとえば、ＲＲＣメッセージ）を送信する。いくつかの場合において、このメッセージは、検索のために利用可能な隣接関係情報の一部分のみを要求することができる。ブロック８０６によって表されるように、ネットワークエンティティは、ブロック８０４のメッセージに応答して（たとえば、ＲＲＣメッセージにより）隣接関係情報を受信する。
【００７０】
上述のように、いくつかの場合においては、アクセス端末によって収集された隣接関係情報のすべてが単一の報告メッセージで送られ得るわけではない。したがって、ネットワークエンティティは、追加の隣接関係情報が検索のために利用可能なことを示す別の１つのメッセージを受信する場合がある。その結果、ネットワークエンティティは、この追加のメッセージの受信した結果として、追加の隣接関係情報の別の１つの要求を送る場合がある。
【００７１】
図９は、隣接関係情報を報告することに関連して実行され得る例示的な動作を示す。有利には、図９の技法は、アクセス端末の他の機能（たとえば、他のより優先順位の高い報告、トラフィック、測定、または機能）に悪影響を与えずに隣接関係報告を送ることをアクセス端末に対して可能にする一方で、同時にこの報告による電力消費への悪影響を軽減する。したがって、これらの動作または他の類似の動作は、ＡＮＲ動作に関してアクセス端末（たとえば、ＵＥ）に「ベストエフォート」を行うことのみが要求される状況で採用される場合がある。たとえば、アクセス端末は、図９の技法を使用して、アクセス端末のページングまたは他の移動に関する性質に悪影響を与えない形で隣接関係情報を報告することができる。
【００７２】
ブロック９０２によって表されるように、アクセス端末は、報告されるべき隣接関係情報を収集する。ブロック９０４によって表されるように、隣接関係情報収集後のある時点として、アクセス端末は、隣接関係情報の報告が許可される規定の無線状態にあると判断する。たとえば、アクセス端末は、アップリンクチャネルで他の信号（たとえば、シグナリング）を送るように構成される無線状態中にのみ報告することが許可され得る。特定の例として、ＵＭＴＳの実施態様では、アクセス端末は、ＣＥＬＬ＿ＤＣＨ状態またはＣＥＬＬ＿ＦＡＣＨ状態にある時は隣接関係情報を報告するように構成することができるが、ＩＤＬＥ状態、ＣＥＬＬ＿ＰＣＨ状態、またはＵＲＡ＿ＰＣＨ状態にある時はそのように構成することができない。有利には、ＣＥＬＬ＿ＤＣＨ状態またはＣＥＬＬ＿ＦＡＣＨ状態中にすでにアクセス端末の無線局（たとえば、送信機）はオンにされている場合があるので、そのような状態での隣接関係報告の送信は、アクセス端末の電力消費を僅かに漸増させる結果をもたらし得る。対称的に、ＩＤＬＥ状態、ＣＥＬＬ＿ＰＣＨ状態、またはＵＲＡ＿ＰＣＨ状態中に報告が送信されたとすると、この報告は、無線局（たとえば送信機）がオンになることに連動して電力消費を高める結果をもたらすことになる。
【００７３】
ブロック９０６によって表されるように、ブロック９０４の判定の結果、アクセス端末は、隣接関係情報を報告する旨のメッセージを送る。いくつかの実装態様では、アクセス端末は、このメッセージの送信がアクセス端末の少なくとも１つの他の動作と同時に起こらないようにスケジューリングする。ここで、アクセス端末は、隣接関係情報の報告がアクセス端末で少なくとも１つの指定の動作を妨害しないであろう時点を識別することができ、次いでその識別した時点に従ってメッセージの送信をスケジューリングすることができる。報告が何らかの他の理由から（たとえば、何らかの他の条件が満たされなくなった、または報告が完了した）早期に終了しない限り、アクセス端末は、もはや、規定の無線状態ではないという指示を受信するまでは、報告動作を行い続けることができる。
【００７４】
図１０は、２つのアクセスポイント間のダイレクトインターフェースを介した隣接関係情報の交換に関連して実行され得る例示的な動作を示す。ブロック１００２によって表されるように、ある時点において、第１のアクセスポイントは第２のアクセスポイントとのダイレクトインターフェース（たとえば、ＵＴＲＡＮ  ＩｕｒインターフェースまたはＥ−ＵＴＲＡＮ  Ｘ２インターフェース）を確立する。たとえば、ネットワーク技術者は、ＩｕｒインターフェースまたはＸ２インターフェースをセットアップするようにアクセスポイントを構成することができる（たとえば、アクセスポイントの対応するコントローラの動作によって）。いくつかの場合において、複数のアクセスポイントは、それらの間にＸ２インターフェースを動的にセットアップすることができる（しかしながら、このようにしてＩｕｒインターフェースがセットアップされる可能性は低い）。
【００７５】
ブロック１００４によって表されるように、第１のアクセスポイントはアクセス端末から隣接関係報告を受信する。この報告は、少なくとも１つのセルをターゲットセルの隣接セルであると識別することになる。たとえば、アクセス端末のサービングセルは、アクセス端末が潜在的な隣接セルであると識別するターゲットセルとみなされ得る。この目的のために、隣接関係報告は各ターゲットセルと各隣接セルの識別情報を含むことになる。この識別情報は、最低でも各セルのセル識別子を含むことになる。この識別情報は、各識別されたセルに関して、ＰＳＣと、ＴＡＣと、ＰＬＭＮ識別子と、（たとえば、本明細書で説明するような）何らかの他の隣接関係情報との１つまたは複数も含み得る。いくつかの態様では、この情報はオペレータから発せられたものではないので、隣接関係報告はＡＮＲ情報を備えるものとみなされる。さらに、この情報の発信源からして、この情報が正確であるという高度な信頼性はあり得ない。たとえば、アクセス端末は、あるセルがターゲットセルの隣接セルであるという関係がネットワークによって認識されていない（たとえば、報告される隣接セルが異なるネットワーク上にある）という状況において、あるセルがターゲットセルの隣接セルであると報告することができる。したがって、第１のアクセスポイントが報告の隣接関係情報を別の１つのエンティティと交換する場合、第１のアクセスポイントは、受信エンティティがそれ自体の隣接関係テーブルを更新する際に隣接関係情報の発信源を考慮できるように、隣接関係情報の発信源の表示を提供することができる。
【００７６】
ブロック１００６によって表されるように、第１のアクセスポイントは、受信した報告の隣接関係情報を含むメッセージを生成する。いくつかの場合において、第１のアクセスポイントは、受信した報告をメッセージに単に組み込むだけである。他の場合には、第１のアクセスポイントは、この報告から隣接関係情報を抽出し、この抽出した情報をメッセージに含める。同様に、第１のアクセスポイントは、メッセージ内の隣接関係情報の発信源を示すようにメッセージを生成することができる。いくつかの場合において、ブロック１００６で生成されたメッセージのタイプは、メッセージ内の隣接関係情報がアクセス端末を発信源とすることを示し得る。いくつかの場合において、メッセージの内容（たとえば、メッセージに含まれる指示）は、メッセージ内の隣接関係情報がアクセス端末を発信源とすることを示し得る。いくつかの場合において、メッセージは、隣接関係情報の発信源を明示的に示すことができる（たとえば、メッセージがアクセス端末の識別子を含む）。
【００７７】
ブロック１００８によって表されるように、第１のアクセスポイントは、隣接関係メッセージをダイレクトインターフェースを介して第２のアクセスポイントに送信する。たとえば、第１のアクセスポイントは、ＲＮＳＡＰ直接情報転送を行ってＡＮＲ報告を第２のアクセスポイントに送信することができる。したがって、第２のアクセスポイントは（また、場合によっては、後でこの隣接関係情報を収集するいかなる他のエンティティも）、隣接関係情報の発信源の指示（たとえば、その情報が完璧に信頼できる発信元からのものではないことを示す）を受信することができる。
【００７８】
ブロック１０１０によって表されるように、第２のアクセスポイントは、ブロック１００８において受信された隣接関係メッセージに基づいて隣接関係テーブルを更新する。しかしながらメッセージ内の隣接関係情報の発信源があると仮定すると、第２のアクセスポイントは、メッセージ内の隣接関係情報を使用する際に他の情報を考慮する場合がある。たとえば、第２のアクセスポイントは、この報告と追加のネイバー報告（ターゲットセルの隣接セルも報告している）を使用して、報告された隣接セルが本当にターゲットセルの隣接セルかどうかを判定することができる。
【００７９】
説明のために、本明細書で教示するような隣接関係管理に関する付加的な詳細を図１１および１２の状況で記述する。簡略に言えば、図１１は、ＲＡＮ、ＯＡＭエンティティ、およびＭＤＴサーバといったネットワークエンティティ間でどのようにして隣接関係情報が交換され得るかの一実施例を示し、図１２は、ＲＡＮ、コアネットワーク（ＣＮ）エンティティ、およびＭＤＴサーバといったネットワークエンティティ間でどのようにして隣接関係情報が交換され得るかの一実施例を示す。しかしながら、図１１および１２のエンティティのすべてが所与のネットワークにおいて採用され得ることを理解されたい。
【００８０】
図１１は、システム管理に保守運用管理（ＯＡＭ）機能を使用する自動ネットワーク再構成アーキテクチャの一実施例を示す。一実施例では、ＵＥのドライブ試験の省力化（ＭＤＴ）サーバは階層の上部に置かれ、様々なエンティティにメッセージを送信する。次に、グローバルＯＡＭ機能は、一実施例ではシステム管理全体のために使用され、特定の無線アクセスネットワーク（ＲＡＮ）管理のためにメッセージを個々のＯＡＭ機能と交換する。一実施例では、各ＲＡＮは、ワイヤレスシステム内の複数のセルの無線アクセスを監督する。一般に、各ＲＡＮは複数のセルに対してアクセスポイントとしての役割を果たし、それら複数のセルは複数のＵＥに接続する。
【００８１】
図１２は、システム管理にＣＮ機能を使用する自動ネットワーク再構成アーキテクチャの一実施例を示す。一態様では、ＵＥのＭＤＴサーバは階層の上部に置かれ、ＣＮからメッセージを受信する。一実施例では、複数のＣＮが、相互に、また、複数のＲＡＮとメッセージを交換する。一般に、各ＲＡＮは複数のセルに対してアクセスポイントとしての役割を果たし、それら複数のセルは複数のＵＥに接続する。
【００８２】
図１１および１２の相互接続線は、様々なエンティティ間で採用され得るインターフェースを包括的に表している。たとえば、図１１では、インターフェースＡはＲＲＣインターフェースを含むことができ、インターフェースＢはＯＭＡ−ＤＭインターフェースを含むことができ、インターフェースＣはＩｕｂインターフェースを含むことができ、インターフェースＤはＩｕｒまたはＸ２インターフェースを含むことができ、インターフェースＥはＩｔｆ−Ｓインターフェースを含むことができ、インターフェースＧはＩｔｆ−Ｎインターフェースを含むことができる。図１２では、インターフェースＪはＩｕまたはＳ１インターフェースを含むことができ、インターフェースＫはＳ３またはＧｎインターフェースを含むことができる。
【００８３】
図１１および１２では、個々のノードは、本開示の範囲または趣旨に影響を与えることなく、様々な無線アクセス技術（ＲＡＴ）アーキテクチャの一部であり得る。図１１および１２に関して、当業者には、図示されたインターフェース名は例示にすぎず、限定的、排他的、または内包的な名称として解釈されるべきではないことを理解されよう。本開示の範囲または趣旨に影響を与えることなく、これらインターフェース名の一部には別のインターフェース名を代用することができ、その他のインターフェース名は追加することができる。
【００８４】
一態様では、ＵＥは、このアーキテクチャ内のいくつかの機能を有する。たとえば、ＵＥは、特定のセルまたはいずれかの検出されたセルからコマンドを受信するか、またはパイロットを検出するか、またはレイヤ２のブロードキャストを読む。一実施例では、特定のセルは、パイロットＩＤ（たとえば、１次同期コード（ＰＳＣ）、物理セルＩＤ（ＰＣＩ：physical cell identity）の範囲によって、またはそれらセルのレイヤ２  ＩＤ（たとえば、セルＩＤ、グローバルセルＩＤ（ＧＣＩ））によって識別され得る。このそのようなコマンドは、インターフェースＡまたはＢによって設定され得る。一実施例では、インターフェースＡによるコマンドは、ユニキャストすることができるか（たとえば、ＲＲＣ測定構成メッセージ）、またはＵＥによってセルブロードキャストから収集することができる（たとえば、ＲＲＣシステム情報）。一態様では、ＵＥは、インターフェースＡによるコマンドに、即時または妥当な遅延の後で、または何らかのイベント（たとえば、ＵＥがＲＡＮに接続する、ＵＥが何らかの他の報告を実行する）が発生した時に、またはＵＥの都合のよい時に（たとえば、他の測定またはトラフィック活動が妨害されない時）、または定期的に（すなわち、設定された時刻に、または設定された時刻の後に）従う必要があり得る。
【００８５】
別の実施例では、ＵＥは必要とされる数量を測定する。たとえば、タイミング測定値は、即時、または報告が必要とされる少し前、またはそれらの中間の任意の機会といった様々な機会にＵＥによって取られ得るか、またはまったく取られなくてもよい。何時測定を実行するかをＵＥが選べるとするならば、ＵＥは、他のより優先順位の高い測定、トラフィック、または機能に悪影響を及ぼさずに測定を実行することができるかどうか、また、何時なら他のより優先順位の高い測定、トラフィック、または機能に悪影響を及ぼさずに測定を実行することができるか、測定するために１つまたは複数のセルから受信した信号が測定を完了させるために十分強いかどうか、また、何時なら測定するために１つまたは複数のセルから受信した信号が測定を完了させるために十分強いか、測定するために１つまたは複数のセルから受信した信号が、インターフェースＡまたはＢによって設定された１つまたは複数の閾値、または内部のＵＥの閾値を超えているかどうか、また、何時なら測定するために１つまたは複数のセルから受信した信号が、インターフェースＡまたはＢによって設定された１つまたは複数の閾値、または内部のＵＥの閾値を超えるか、インターフェースＡまたはＢによって設定された他の条件が満たされているかどうか、また、何時ならインターフェースＡまたはＢによって設定された他の条件が満たされるか（たとえば、ＵＥまたはセルの地理的ロケーション、もしくはルーティングエリア識別子コード（ＲＡＣ）と、ローカルエリアコード（ＬＡＣ）と、１次同期コード（ＰＳＣ）と、物理セルＩＤ（ＰＣＩ：physical cell identity）と、グローバルセルＩＤ（ＧＣＩ）と、セルＩＤと、限定加入者グループ（ＣＳＧ）と、無線アクセス技術（ＲＡＴ）のタイプと、１つまたは複数のＰＬＭＮＩＤなどのような部分パラメータの一致）、ＵＥに、他のトラフィック／測定／報告活動を妨害することを回避するための機能（たとえば、デュアルアンテナ、デュアル受信チェーン（dual receive chain））が備わっているかどうか、増大する消費が低減できるかどうか、また、何時なら増大する消費が低減できるかを考慮することによって選ぶことができる。必要とされる数量の一部またはすべてがＵＥですでに利用可能な場合、ＵＥはそれらを再び測定しないと決定することができる。たとえば、一部のそのような数量は、以前に測定されたから、または他の方法でＵＥに与えられたからという理由で提示され得る（たとえば、ＵＥはＰＳＣ１のセル１に留まり、セル１の制御ＲＮＣがセル１のＩＤによってＵＥを設定する。後者はセル２に留まり、ＵＥは、セル２のＰＳＣ１隣接に対応するセルＩＤを与えるように求められる。ＵＥは、セル１のＩＤを再び測定せずに与えることを選び得る）。
【００８６】
別の実施例では、ＵＥは、測定され、導出された数量の報告を提供する。一態様では、報告は、既存のメッセージによるものであっても（たとえば、ＲＲＣ測定報告メッセージ、様々な機能のランダムアクセスチャネル（ＲＡＣＨ）情報エレメント（ＩＥ）の測定値）、新しいメッセージによるものであってもよい。報告は、構成が到着したインターフェースと同じインターフェース、異なるインターフェース、または両方で送ることができる（たとえば、構成はインターフェースＡで、報告はインターフェースＢで）。報告は、セルから検出されたか読み取られた数（たとえば、セルＩＤ、ＣＧＩ、ＬＡＣ、ＲＡＣ、ＴＡＣ、様々なＰＬＭＮ、ＣＳＧスプリット）、または派生数量（たとえば、「ＰＳＣは、供給されたセルＩＤに対応した／しなかった」、「ＵＥはセルのＣＳＧの一員ではない」）、信号品質尺度（たとえば、共通パイロットチャネル（ＣＰＩＣＨ）受信信号符号電力（ＲＳＣＰ）、ＣＰＩＣＨ  Ｅｃ／Ｉｏ（チップエネルギー／干渉雑音密度比））を含むことができる。一実施例では、報告が不完全な場合があり（たとえば、セルＩＤは報告されているが、ＣＳＧスプリットは報告されていない）、ＵＥは、どの数量を報告できないかと、その理由とを示すことができる（たとえば、「読み取る時間がない」、「信号が読み取れるほど強くない」、「情報が存在しない」）。別の実施例では、報告は前述の数量を、ゼロ、１つ、または複数のセルに関して含み得る。別の実施例では、報告は、１つまたは複数のサービングセルに関するＩＤまたは他の特性化パラメータ（たとえば、セルＩＤ、ＣＧＩ、ＬＡＣ、ＲＡＣ、ＴＡＣ、様々なＰＬＭＮ、ＣＳＧスプリット、信号品質、情報がロギングされた／されなかった理由）を含む。別の態様では、報告は即時であっても、なくてもよい。報告が即時でない場合、ＵＥは、測定値が取られた時刻を識別するか、または内容が有効でない数量を省略することが可能であり得る。いかなる省略の場合にも、ＵＥは、その省略を暗示的または明示的に示すことができる（たとえば、「フィールドｘｘｘは無効な情報を含む」）。別の態様では、ＵＥは、ＲＡＮ／ＭＤＴサーバが追加情報（の一部分）を要求することのあるインターフェースＡまたはＢによる検索のために追加情報が利用可能かどうかをメッセージの中でさらに示すことができる。報告する際に、ＵＥは、他の活動（たとえば、トラフィック、測定）が影響されない時点、または増大する電池使用量が低減される時点（たとえば、ＣＥＬＬ＿ＤＣＨ（専用チャネル）、ＣＥＬＬ＿ＦＡＣＨ（順方向アクセスチャネル）など）を選ぶことができる。ＵＥの報告は、ＵＥによる報告コマンドの受信より前に収集された一部（または全部の）の数量を含み得ることに留意されたい。数量は、そのような報告が適切ならば、ＵＥの実施態様により異なる。たとえば、そのような前もって収集した数量は、ＵＥの自律的測定作用により、または同一または他のセル／ＲＡＮ／ＭＤＴサーバなどからＵＥによって受信された以前の構成でトリガされた測定により、または以前のＵＥの活動（たとえば、隣接セルに留まっていること）により入手されたものであり得る。
【００８７】
一態様では、ＲＡＮは、このアーキテクチャ内のいくつかの機能を有する。たとえば、ＲＡＮは、前述のように隣接セルを報告するように、もしくは収集された、またはサービスしている隣接セルのデータを受理するようにＵＥを構成することができる。たとえば、ＲＡＮは、隣接セルのデータを報告するように、もしくは収集された隣接セルのデータまたは制御されたセルデータを受理するようにそれ自体のＯＡＭを構成することができる。たとえば、ＲＡＮは、隣接セルのデータを報告するように、もしくは収集された隣接セルのデータまたは制御されたセルデータを受理するようにそれ自体のＣＮ（コアネットワーク）を構成することができる。たとえば、ＲＡＮは、セルデータまたは数量を報告するように、それ自体の各セル（たとえば、ノードＢ）を構成することができる。一態様では、そのような構成は、ＣＮの場合は特に、そのインターフェースを介して特定のパートナーノードに透過的であり得る（たとえば、ＲＡＮ情報管理（ＲＩＭ）プロシージャによりＣＮに透過的である）。一態様では、透過的な構成の場合、情報が向けられたＲＡＮノードのＩＤが、情報が透過的なノードに供給され得る。構成が透過的な直接インターフェースのパートナーが信頼されていない場合、送信元ＲＡＮノードは構成コマンドを暗号化することができる。
【００８８】
別の実施例では、隣接セルのデータを要求するコマンドは、パイロットＩＤ（たとえば、ＰＣＩ、ＰＳＣ）または隣接セルのデータが要求される（いかなるパイロットをも含む）パイロットの範囲、要求する特定の隣接セルのデータ（たとえば、セルのＩＤ、すなわちセルＩＤ、ＵＴＲＡＮセル識別子（ＵＣ−ＩＤ）、ＣＧＩなど）、他の隣接セルを限定する数量（たとえば、ＣＳＧ  ＩＤ、ＰＬＭＮ、ＬＡＣ、ＲＡＣ、ＴＡＣなど）、適用可能な場合はセルの信号品質（たとえば、構成がＵＥに送信される場合はＣＰＩＣＨ  Ｅｃ／Ｉｏ、送信電力）、隣接セルの隣接するセル、特定のセルを制御するＲＡＮノードのＩＤと、そのようなＩＤの形式、たとえば、論理（たとえば、ＲＮＣ−ＩＤ＋ＲＡＣ＋ＰＬＭＮ、ｅＮＢ  ＩＤ＋ＴＡＣ＋ＰＬＭＮ）およびトランスポート（たとえば、ＩＰアドレス＋ポート）、周辺で隣接セルの情報が要求されるセルのＩＤ、たとえば、セルＩＤ＋ＰＬＭＮ＋ＲＡＣ、またはＣＧＩなど、隣接セルの構成の特性、たとえば、制御しているＲＡＮノードがダイレクトインターフェースを受け入れるかどうか、制御しているＲＡＮノードが入来コマンド／通知の受信を受けるかどうか（たとえば、電力の始動／停止／低減／電力増加／アンテナ調整のためのコマンド／特定の自己組織化ネットワーク（ＳＯＮ）メッセージを受信する能力など）、または制御しているＲＡＮノードは発信コマンド／通知の送信（たとえば、通知、および電力の始動／停止／低減／電力増加／アンテナ調整／特定のＳＯＮメッセージを受信する能力など）のジェネレータであり得るかどうかを含み得る。
【００８９】
別の実施例では、隣接セルのデータを提供するコマンドは、制御されるかまたは隣接セルのパイロットＩＤ、特定の制御されるかまたは隣接セルのデータ（セルのＩＤ、たとえば、セルＩＤ、ＵＣ−ＩＤ、ＣＧＩ）、他の隣接セルを限定する数量（たとえば、ＣＳＧ  ＩＤ、ＰＬＭＮ、ＬＡＣ、ＲＡＣ、ＴＡＣなど）、適用可能な場合はセルの信号品質（たとえば、構成がＵＥに送信される場合はＣＰＩＣＨ  Ｅｃ／Ｉｏ、送信電力）、隣接セルの隣接するセル、１つまたは複数の特定のセルを制御するＲＡＮノードのＩＤと、そのようなＩＤの形式、（たとえば、論理（ＲＮＣ−ＩＤ＋ＲＡＣ＋ＰＬＭＮ、ｅＮＢ  ｉｄ＋ＴＡＣ＋ＰＬＭＮ）、トランスポート（ＩＰアドレス＋ポート））を含み得る。一態様では、隣接セルの各組について、隣接セルが特定情報の送信元であるセルのＩＤ（たとえば、ＵＥから、手動設定から、１つまたは複数のネットワークリッスンモジュールから）、特定の情報の信頼性（質的または量的な）、セルの構成の特性（たとえば、制御しているＲＡＮノードがダイレクトインターフェースを受け入れるかどうか、または制御しているＲＡＮノードが入来コマンド／通知の受信を受けるかどうか（たとえば、電力の始動／停止／低減／電力増加／アンテナ調整のためのコマンド／特定のＳＯＮメッセージを受信する能力など）、または制御しているＲＡＮノードは発信コマンド／通知の送信（たとえば、通知、および電力の始動／停止／低減／電力増加／アンテナ調整／特定のＳＯＮメッセージを受信する能力など）のジェネレータであり得るかどうか。
【００９０】
別の態様では、ＲＡＮは、制御された／隣接セルの、前述の要求された情報の一部またはすべてをＯＡＭ／ＣＮ／ＵＥに報告する。このような報告は、ＣＮの場合は特に、そのインターフェースを介して特定のパートナーノードに透過的であり得る（たとえば、ＲＩＭプロシージャによりＣＮに透過的である）。透過的な報告の場合、情報が向けられたＲＡＮノードのＩＤが、情報が透過的なノード（ＯＡＭ／ＣＮ／ＵＥ）に供給され得る。報告が透過的な直接インターフェースのパートナー（たとえば、ＵＥ）が信頼されていない場合、送信元ＲＡＮノードは報告を暗号化することができる。一実施例では、ＲＡＮは、たとえばＲＡＮが異なる送信元からの相反する情報（たとえば、ＵＥが報告したセルＩＤがＯＡＭによって構成されたものと同じでない）を有する場合、特定の構成された情報が無効であると判定されたことも報告し得る。その場合、ＲＡＮは、その情報をどのようにして無効と判定したかを、明示的に（たとえば、原因の値）または透過的な方法で（たとえば、平文ストリング）特定することができる。
【００９１】
別の態様では、ＲＡＮは、前述と同じタイプの情報を含む報告または構成を受信することができる。ＲＡＮは、そのような情報を使用して、関連する機能（たとえば、システム情報ブロック１１（ＳＩＢ１１／１１ｂｉｓ）でブロードキャストする、接続モードでＵＥの測定を構成する、など）で使用するためにそのＲＡＮ自体のネイバーリストを構成するか、または様々な理由（たとえば、定期的な検証、または制御された隣接セルに関する無効か、または逸失したか、または有効期限切れか、または変更されたセルデータ）で隣接セルのＩＤをダブルチェックすることができる。
【００９２】
別の態様では、ＯＡＭはＵＴＲＡ、Ｅ−ＵＴＲＡ、ＧＳＭ、ＣＤＭＡ２０００、または他のＲＡＴなどのための保守運用管理およびプロビジョニングエンティティであってよい。一実施例では、ＯＡＭは、上記のＲＡＮ機能で詳述した構成メッセージに従ってＯＡＭ自体のＲＡＮノードを問い合わせることができる。たとえば、ＯＡＭは、ＲＡＮから受信した構成要求を（中間ノードに対して透過的に、または非透過的に）別の１つのＲＡＮに向けて渡すことができるか、またはＯＡＭは、ピアＯＡＭによって、またはグローバルＯＡＭによってそのような情報をＲＡＮに直接渡すことができる。一態様では、ターゲットＲＡＮノードの識別情報は、上述のＲＡＮ機能に関して説明した通りであってよい。ＯＡＭは、特定の構成要求の送信元ＲＡＮノードを特定することもでき、また、関連する／逸失した／未検証のセル情報（たとえば、上述のＲＡＮ機能に関して詳述したような、ネイバー、セルＩＤ、ブロードキャスト、他の数量など）を収集し、かつ／または報告するようにＭＤＴサーバを構成することもできる。
【００９３】
別の態様では、ＯＡＭは、上述のＲＡＮ機能に関して詳述したセル情報の報告の要求によってピアＯＡＭノードまたはグローバルＯＡＭを構成することができる。
【００９４】
別の態様では、ＯＡＭは、統合した情報を、グローバルＯＡＭへの他のＯＡＭノード、ＯＡＭ自体の制御されたＲＡＮノード、またはＯＡＭ自体のピアＯＡＭノードに報告することができる。ＯＡＭは、ＲＡＮ／ＯＡＭ／グローバルＯＡＭから受信した個別の構成要求に特有の統合した情報を報告することができるか、またはＯＡＭが関連するとみなし得るセル情報の一部またはすべてを供給することができる。関連する場合、ＯＡＭは、情報を省略することができ、また、特定のセル情報が省略された明示的または暗黙的な理由を与えることができる。ＯＡＭは、ＲＡＮから受信した報告を別の１つのＲＡＮに向けて（中間ノードに対して透過的に、または非透過的に）渡すことができる。ＯＡＭは、ピアＯＡＭによって、またはグローバルＯＡＭによってそのような情報をＲＡＮに直接渡すことができる。一実施例では、ターゲットＲＡＮノードの識別情報は、上述のＲＡＮ機能に関して説明した通りであってよい。ＯＡＭは、特定の報告要求の送信元ＲＡＮノードを識別することもできる。
【００９５】
別の態様では、ＯＡＭは統合を実行することができる。ＯＡＭは、様々な送信元（ピアＯＡＭ、グローバルＯＡＭ、ＭＤＴサーバ、ＲＡＮ、手動設定）から情報を収集して隣接セル構成を統合することができる。様々な送信元から集合した情報に矛盾がある場合、ＯＡＭは、オペレータ人員またはグローバルＯＡＭ、もしくは誤り収集エンティティ（たとえば、エラーログファイル、サーバなど）にその矛盾を通知するか、またはその矛盾の解決を試みることができる。データの矛盾の解決は、どの送信元が正確である見込みが最も高いかに関する確率計算に基づき得る。
【００９６】
別の態様では、ＣＮ（コアネットワーク）は、サービスしているＧＰＲＳサポートノード（ＳＧＳＮ）、移動通信交換局（ＭＳＣ）、モビリティ管理エンティティ（ＭＭＥ）、または他のＲＡＴのコアネットワークエレメントであってよい。ＣＮの機能は、すでに説明したＯＡＭの機能に酷似している。一実施例では、ＣＮは、ＲＡＮ機能に関してすでに詳述した構成メッセージに従ってＣＮ自体のＲＡＮノードを問い合わせることができる。ＣＮは、ＲＡＮから受信した構成要求を別の１つのＲＡＮに（中間ノードに対して透過的に、または非透過的に）渡すことができる。ＣＮは、ターゲットＲＡＮを制御するピアＣＮによってそのような情報をＲＡＮに直接渡すことができる。ターゲットＲＡＮノードの識別情報は、ＲＡＮ機能に関して上述した通りであってよい。ＣＮは、特定の構成要求の送信元ＲＡＮノードを識別することもできる（たとえば、ＲＩＭプロシージャでの透過的送信）。ＣＮは、ＲＡＮ機能に関してすでに詳述したように、セル情報を報告するようにピアＣＮノードを構成することができる。
【００９７】
別の態様では、ＣＮは、統合した情報を、他のＣＮノードに、またはＣＮ自体の制御されたＲＡＮノードに報告することができる。ＣＮは、ＲＡＮ／ＣＮから受信した個別の構成要求に特有の統合した情報を報告することができるか、またはＣＮが関連するとみなし得るセル情報の一部またはすべてを供給することができる。関連する場合、ＣＮは、情報を省略することができ、また、特定のセル情報が省略された明示的または暗黙的な理由を与えることができる。ＣＮは、ＲＡＮから受信した報告を別の１つのＲＡＮに向けて（中間ノードに対して透過的に、または非透過的に）渡すことができる。ＣＮは、ピアＣＮによってそのような情報をＲＡＮに直接渡すことができる。ターゲットＲＡＮノードの識別情報は、ＲＡＮ機能に関して上述した通りであってよい。ＣＮは、特定の報告要求の送信元ＲＡＮノードを識別することもできる（たとえば、ＲＩＭプロシージャでの透過的送信）。
【００９８】
別の実施例では、ＣＮは、様々な送信元（ピアＣＮ、ＲＡＮ、手動設定）から情報を収集して隣接セル構成を統合することができる。様々な送信元から集合した情報に矛盾がある場合、ＣＮは、オペレータ人員または誤り収集エンティティ（たとえば、エラーログファイル、サーバなど）にその矛盾を通知するか、またはその矛盾の解決を試みることができる。データの矛盾の解決は、どの送信元が正確である見込みが最も高いかに関する確率計算に基づき得る。
【００９９】
別の態様では、グローバルＯＡＭ（ｇＯＡＭ）は、いくつかの機能を持つイントラＲＡＴまたはインターＲＡＴであってよい。たとえば、ｇＯＡＭは、ＲＡＮ機能に関してすでに詳述した構成メッセージに従ってｇＯＡＭ自体のＯＡＭノードを問い合わせることができる。ｇＯＡＭは、ＯＡＭから受信した構成要求を（別の１つのＯＡＭを介して）別の１つのＲＡＮに（中間ノードに対して透過的に、または非透過的に）渡すことができる。ターゲットＲＡＮノードの識別情報は、ＲＡＮ機能に関して上述した通りであってよい。ｇＯＡＭは、特定の構成要求の送信元ＲＡＮノードを識別することもできる。ｇＯＡＭは、ＵＥおよびＲＡＮ機能に関してすでに詳述したように、関連する、または逸失した、または未検証のセル情報（たとえば、ネイバー、セルＩＤ、ブロードキャスト、他の数量など）を収集し、かつ／または報告するようにＭＤＴサーバを構成することができる。
【０１００】
別の実施例では、ｇＯＡＭは、統合した情報をｇＯＡＭ自体のＯＡＭノードに報告することができる。ｇＯＡＭは、ＯＡＭ／ＲＡＮから受信した個別の構成要求に特有の統合した情報を報告することができるか、またはｇＯＡＭが関連するとみなし得るセル情報の一部またはすべてを供給することができる。関連する場合、ｇＯＡＭは、情報を省略することができ、また、特定のセル情報が省略された明示的または暗黙的な理由を与えることができる。ｇＯＡＭは、ＲＡＮから受信した報告を別の１つのＲＡＮに向けて（中間ノードに対して透過的に、または非透過的に）渡すことができる。ターゲットＲＡＮノードの識別情報は、ＲＡＮ機能に関して上述した通りであってよい。ｇＯＡＭは、特定の報告要求の送信元ＲＡＮノードを識別することもできる。
【０１０１】
別の実施例では、ｇＯＡＭは、ＯＡＭノードから情報を収集して隣接セル構成を統合することができる。様々な送信元から集合した情報に矛盾がある場合、ＣＮは、オペレータ人員または誤り収集エンティティ（たとえば、エラーログファイル、サーバなど）にその矛盾を通知するか、またはその矛盾の解決を試みることができる。データの矛盾の解決は、どの送信元が正確である見込みが最も高いかに関する確率計算に基づき得る。
【０１０２】
別の態様では、ＭＤＴサーバは、いくつかの機能を持つ、ＯＡＭ  ＤＭクライアントとしてのＵＥに対応するオープンモバイルアライアンスデバイス管理（ＯＡＭ  ＤＭ）サーバであってよい。
【０１０３】
たとえば、各ＭＤＴは、ＵＥおよびＲＡＮ機能に関してすでに詳述したように、セル情報を収集するようにＵＥを構成することができる。ＵＥは、ＵＥおよびＲＡＮ機能に関してすでに詳述したように、すべての情報を報告しても、しなくてもよい。ＭＤＴは、特定の情報（たとえば、セルＩＤ、ＰＬＭＮ、ＣＳＧ  ＩＤなど）のみを収集するように、または場合によってはＯＡＭまたはｇＯＡＭによって暗黙的または明示的に設定されるような特定の（たとえば、地理的、ＰＬＭＮ、ＬＡＣ、ＲＡＣ、ＲＦなどの）限定に従って、各ＵＥを構成することができる。
【０１０４】
別の実施例では、ＭＤＴは、ＯＡＭまたはｇＯＡＭからの要求に関係する情報をＯＡＭまたはｇＯＡＭに報告することができる（たとえば、ＯＡＭまたはｇＯＡＭによって要求された特定セルの隣接セルのＩＤおよびパラメータ。ＯＡＭまたはｇＯＡＭからの要求は、ＵＥおよびＲＡＮ機能に関してすでに詳述した構成に類似の形式であってよい。
【０１０５】
別の実施例では、ＭＤＴは、ＵＥから情報を収集して隣接セル構成を統合することができる。様々な送信元から集合した情報に矛盾がある場合、ＭＤＴは、オペレータ人員または誤り収集エンティティ（たとえば、エラーログファイル、サーバなど）にその矛盾を通知するか、またはその矛盾の解決を試みることができる。データの矛盾の解決は、どの送信元が正確である見込みが最も高いかに関する確率計算に基づき得る。
【０１０６】
別の態様では、セルは、同じ物理的装置（たとえば、ノードＢ、基地局トランシーバ（ＢＳＴ））に属する複数セルの複数のエンティティであってよい。いくつかの場合において、セルとそれらセルの制御するＲＡＮは連結されており（たとえば、ＮｏｄｅＢ＋、ＨＮＢ、ｅＮＢ）、その場合、インターフェースはプロプライエタリなインターフェースかまたはダイレクトハードウェアインターフェース（たとえば、バス、ダイレクトピンなど）であってよいことに留意されたい。
【０１０７】
セル装置（以後、ＣｅｌｌＡ）は多くの機能を有する。たとえば、ＣｅｌｌＡは、セル情報を求めるＲＡＮ要求に応答し得る。そのような報告の構成は、インターフェースＡに関してすでに詳述した形式に類似の論理形式であってよい。
【０１０８】
セル情報を求めるＲＡＮ要求に応答して、ＣｅｌｌＡは、タイミングおよび他の条件に関する考慮事項がまったく同様の、すでに詳述した測定とまったく同様の測定を実行することができる。ＣｅｌｌＡは、そのような測定を「ネットワークリッスンモジュール」の概念を継いだ別個のモジュールに行わせる。さらに、ＣｅｌｌＡは、トラフィック条件が低い／皆無の場合に、またはＵＥが１つも接続されていない場合に、または十分に大きな測定ギャップ（たとえば、間欠受信（ＤＲＸ））が使用可能な場合に、測定を実行することを選び得る。
【０１０９】
一態様では、本明細書で教示する構成および報告は、すべてのインターフェースにおいて新たに導入されたメッセージまたは既存のメッセージの一部によって実行され得る。メッセージは、限定はしないが、たとえば以下に対応するいずれかのメッセージである。ＲＲＣ接続管理、無線ベアラ制御プロシージャ、ＲＲＣ接続移動性プロシージャ、ＲＲＣ測定プロシージャなど；ＲＡＮＡＰ／Ｓ１ＡＰエレメンタリープロシージャ、ＲＡＮＡＰ／Ｓ１ＡＰ  ＲＡＢ管理、ＲＡＮＡＰ／Ｓ１ＡＰインターフェース管理、ＲＡＮＡＰ／Ｓ１ＡＰリロケーション／ハンドオーバ、ＲＡＮＡＰ／Ｓ１ＡＰコンテキスト管理、ＲＡＮＡＰ／Ｓ１ＡＰページング／追跡／ＵＥコンテキスト／ロケーション管理、ＲＡＮＡＰ／Ｓ１ＡＰ専用接続、セットアップ／転送、ＲＡＮＡＰ／Ｓ１ＡＰ情報交換など；ＮＢＡＰエレメンタリープロシージャ、ＮＢＡＰ共通プロシージャ、ＮＢＡＰ専用プロシージャなど；ＲＮＳＡＰエレメンタリープロシージャ、ＲＮＳＡＰ基本移動性プロシージャ、ＲＮＳＡＰ専用プロシージャ、ＲＮＳＡＰ共通トランスポートチャネルプロシージャ、ＲＮＳＡＰグローバルプロシージャなど」
上記のリストが排他的でも限定的でもないことを当業者ならば理解されよう。本開示の範囲または趣旨に影響を与えることなく、他のメッセージの例を付加することができ、または列挙したメッセージの例の一部を削除することができる。
【０１１０】
上記に鑑みて、隣接関係情報は様々な方法でそのシステム全体を通して収集および分散され得ることが理解されよう。さらなる説明のために、そのような収集および分散のいくつかの例を以下に示す。
【０１１１】
無線アクセスネットワーク（ＲＡＮ）ノード、たとえば無線ネットワーク制御装置（ＲＮＣ）セル、ノードＢ、ホームノードＢ（ＨＮＢ）などは、隣接するトポロジーおよび他の情報を隣接するセルのネットワークパラメータを読み取ることによって収集できる。たとえば、ネットワークパラメータの読み取りはブロードキャストまたはユニキャストメッセージによって達成することができ、また、無線によってまたはバックホールによって伝えられ得る。たとえば、バックホール接続は、ＲＡＮノードとコアネットワーク（ＣＮ）または他のＲＡＮノードとの間の接続であってよい。別の実施例では、バックホール接続は、ＲＡＮノードとホームノードＢゲートウェイ（ＨＮＢ−ＧＷ）またはホームノードＢ管理システム（ＨＭＳ）、または他の集中ノード（concentrating nodes）との間の接続であってよい。
【０１１２】
別の態様では、そのようなネットワークパラメータの読み取りは次のいくつかの手段によって達成され得る。（１）ＲＡＮノード内のモジュールによって（「ネットワークリッスンモジュール」）、（２）必要なネットワークパラメータの報告が可能なＵＥ報告によって、（３）すでに発見された隣接するノードとの情報交換によって、（４）集中型ノード（centralized node）、たとえばＨＮＢ−ＧＷまたはＨＭＳによる構成によって。
【０１１３】
別の態様では、ネットワークトポロジーの収集に有用なネットワークパラメータは、以下のうちの１つまたは複数を含み得る：隣接するセルのＩＤ；アクセス権情報；パスロス情報；受信信号品質指標；ブロードキャスト電力情報；ブロードキャスト情報が収集されたセルの近隣リスト；セル負荷情報；カバレージの問題に起因するドロップした、すなわち劣った状態の呼／ＵＥの量、数、または比率；望ましくなく渡された呼／ＵＥの量、数、または比率；または確認された多重録音（ping-ponging）の量。
【０１１４】
一例では、いくつかのＵＥはすでに上記の情報の一部を報告することが可能である（たとえば、インバウンドの移動目的のシステム情報収集をサポートするＵＥ、またはＵＥによる情報のネットワークへの報告を可能とする「ドライブテストの最小化」機能をサポートするＵＥ）。別の態様では、ネットワークはそのようなＵＥを利用する。
【０１１５】
別の実施例では、上記のネットワークパラメータの交換は、上述のバックホール接続を介してメッセージ（たとえば、隣接するＲＡＮノード間のマルチキャストまたはユニキャストメッセージ）により起こり得る。このようなメッセージは、ＲＡＮノードによって要求され得るか、または要求なしに必要に応じて送信され得る（たとえば、ＲＦの状態、負荷状態、カバレージ状態、または他の状態が根拠となる時点で、または定期的に、またはランダムに）。一実施例では、そのようなメッセージには、そのメッセージまたはネットワークパラメータがＲＡＮノードを通過する度に増分される回数を（たとえば、メッセージごとに、またはパラメータごとに）添付することができる。一実施例では、ＲＡＮノードは、複数のカウンターを使用してメッセージ数を制限するか、または受信中の情報の適合性を発信側ＲＡＮノードからの距離の見地から判断することができる。一実施例では、そのようなカウンターは、増分するものか、もしくはパスロスまたは他のインターＲＡＮ距離尺度の比例関数であってよい。
【０１１６】
一態様では、ネットワークパラメータがまだメッセージにないならば、追加され得る。一実施例では、最後のＲＡＮノードがメッセージの内容を理解することが必要であるが、他の中間のノード（たとえば、ＵＥ、ＨＮＢ−ＧＷ、ＣＮなど）は情報を透過的に、すなわちメッセージの内容を解釈せずに転送し得る。
【０１１７】
一態様では、ネットワークパラメータを、転送する前に検証することができる。たとえば、検証プロセスでは検証パラメータが使用され得る。本開示の範囲または趣旨を限定せずに、検証パラメータは、限定はしないが、適用例、使用法、ユーザの選択、システム構成などといった多くの要因に基づいて特定され得ることを当業者ならば理解されよう。別の態様では、ネットワークパラメータを、転送する前に統合することができる。
【０１１８】
別の態様では、バックホールを介したＲＡＮノード間における情報の転送は、既存のプロシージャ（たとえば、無線アクセスネットワークアプリケーションパート（ＲＡＮＡＰ）情報転送）により、または新しいプロシージャにより透過的にまたは非透過的に発生し得る。
【０１１９】
情報交換の目的は、ハンドオーバパラメータ（たとえば、閾値、トリガ時間、ヒステリシス、トリガイベントのタイプ）、再選択パラメータ（たとえば、インターサーチ閾値、セル個別オフセット）、許容負荷（たとえば、ＵＥ数、接続、セルスループットなど）、接続の制限（たとえば、スループット、サービス品質など）、送信電力、ビームフォーミング、および複数の搬送波の使用といったパラメータまたは設定の明示的な構成を低減するか、または不要とすることで、ＲＡＮノードがそれ自体のネットワークパラメータの設定を自動化できるようにすることであり得る。
【０１２０】
図１３に、本明細書で教示するネットワークリレーション関連の動作を実行するために（たとえば、それぞれ図１のアクセス端末１０２、アクセスポイント１０４、およびネットワークエンティティ１０８に対応する）アクセス端末１３０２、アクセスポイント１３０４、およびネットワークエンティティ１３０６などのノードに組み込まれ得る（対応するブロックによって表される）いくつかの例示的な構成要素を示す。説明する構成要素は、通信システムの他のノードに内蔵することもでき得る。たとえば、システム中の他のノードは、同様の機能を与えるために、アクセス端末１３０２とアクセスポイント１３０４とに関して説明する構成要素と同様の構成要素を含み得る。同様に、所与のノードは、説明する構成要素の１つまたは複数を含み得る。たとえば、アクセス端末は、アクセス端末が多重搬送波上で動作し、かつ／または様々な技術によって通信できるようにする、複数のトランシーバ構成要素を含み得る。
【０１２１】
図１３に示すように、アクセス端末１３０２およびアクセスポイント１３０４は、それぞれ、他のノードと通信するための（それぞれトランシーバ１３０８とトランシーバ１３１０とによって表される）１つまたは複数のトランシーバを含む。各トランシーバ１３０８は、信号（たとえば、メッセージ、報告、指示、隣接関係情報）を送信するための送信機１３１２と、信号（たとえば、メッセージ、隣接関係情報、要求、指示、パイロット信号、判断基準、閾値）を受信し、測定の実施に関する他の動作を実行するための受信機１３１４とを含む。同様に、各トランシーバ１３１０は、信号（たとえば、メッセージ、要求、指示、パイロット信号、隣接関係情報、判断基準、閾値）を送信するための送信機１３１６と、信号（たとえば、メッセージ、報告、隣接関係情報、要求、指示）を受信するための受信機１３１８とを含む。
【０１２２】
アクセスポイント１３０４およびネットワークエンティティ１３０６は、それぞれ、他のノード（たとえば、他のネットワークエンティティ）と通信するための（それぞれネットワークインターフェース１３２０とネットワークインターフェース１３２２とによって表される）１つまたは複数のネットワークインターフェースを含む。たとえば、ネットワークインターフェース１３２０および１３２２は、ワイヤベースまたはワイヤレスバックホールを介して１つまたは複数のネットワークエンティティと通信するように構成され得る。いくつかの態様では、ネットワークインターフェース１３２０および１３２２は、ワイヤベースまたはワイヤレス通信（たとえば、報告の受信、メッセージの受信、隣接関係情報の受信、メッセージの送信、判断基準の送信）をサポートするように構成された（たとえば、送信機および受信機構成要素を含む）トランシーバとして実装され得る。
【０１２３】
アクセス端末１３０２、アクセスポイント１３０４、およびネットワークエンティティ１３０６は、本明細書で教示する隣接関係関連動作に関連して使用され得る他の構成要素をも含む。たとえば、アクセス端末１３０２は、隣接関係を管理するための（たとえば、アクセス端末が規定の無線状態にあると判定するための、隣接関係情報のための測定を行うべきかどうか／何時隣接関係情報のための測定を行うべきかを判断するための、受信した信号を閾値と比較するための、隣接関係情報を収集するための、すべての収集した隣接関係情報を送信できるとは限らないと判定するための、隣接関係情報の報告が少なくとも１つの指定の動作を妨害しないであろう期間を特定するための、隣接関係情報を報告すべきかどうか／何時隣接関係情報を報告すべきかを判断するための、隣接関係情報を即時に報告すべきではないと判定するための、記憶した隣接関係情報の報告をトリガする条件を特定するための）、および本明細書で教示する他の関連する機能を提供するための隣接関係コントローラ１３２４を含む。同様に、アクセスポイント１３０４は、隣接関係を管理するための、および本明細書で教示する他の関連する機能を提供するための隣接関係コントローラ１３２６を含む。また、ネットワークエンティティ１３０６は、隣接関係を管理するための、および本明細書で教示する他の関連する機能を提供するための隣接関係コントローラ１３２８を含む。アクセス端末１３０２、アクセスポイント１３０４、およびネットワークエンティティ１３０６は、それぞれ、通信を制御するための（たとえば、メッセージを送受信するための、アクセスポイント間にダイレクトインターフェースを確立するための、隣接関係メッセージを生成するための）、および本明細書で教示する他の関連する機能を提供するための通信コントローラ１３３０、１３３２、および１３３４を含む。また、アクセス端末１３０２、アクセスポイント１３０４、およびネットワークエンティティ１３０６は、それぞれ、情報（たとえば、隣接関係情報、閾値）を管理するための（たとえば、メモリデバイスをそれぞれ含む）メモリ構成要素１３３６、１３３８、および１３４０を含む。
【０１２４】
便宜上、アクセス端末１３０２およびアクセスポイント１３０４を、本明細書で説明する様々な実施例において使用され得る構成要素を含むものとして図１３に示す。実際には、図示した各ブロックは異なる実施態様において異なる機能を有することができる。
【０１２５】
図１３の構成要素は様々な方法で実施され得る。いくつかの実施形態では、図１３の構成要素は、たとえば、１つまたは複数のプロセッサおよび／または（１つまたは複数のプロセッサを含み得る）１つまたは複数のＡＳＩＣなど、１つまたは複数の回路において実装され得る。ここで、各回路（たとえば、プロセッサ）は、この機能を与えるために回路によって使用される情報または実行コードを記憶するためのデータメモリを使用し、および／または組み込み得る。たとえば、ブロック１３０８によって表される機能の一部、ならびにブロック１３２４、１３３０および１３２６によって表される機能の一部または全部は、アクセス端末の１つまたは複数のプロセッサとアクセス端末のデータメモリとによって（たとえば、適切なコードの実行によっておよび／またはプロセッサ構成要素の適切な構成によって）実装され得る。同様に、ブロック１３１０によって表される機能の一部、ならびにブロック１３２０、１３２６、１３３２および１３３８によって表される機能の一部または全部は、アクセスポイントの１つまたは複数のプロセッサとアクセスポイントのデータメモリとによって（たとえば、適切なコードの実行によっておよび／またはプロセッサ構成要素の適切な構成によって）実装され得る。また、ブロック１３２２、１３２８、１３３４、および１３４０の機能の一部または全部は、ネットワークインターフェースの１つまたは複数のプロセッサとネットワークインターフェースのデータメモリとによって（たとえば、適切なコードの実行によっておよび／またはプロセッサ構成要素の適切な構成によって）実装され得る。
【０１２６】
本明細書の教示は、複数のワイヤレスアクセス端末のための通信を同時にサポートするワイヤレス多元接続通信システムにおいて採用できる。ここで、各端末は、順方向リンクおよび逆方向リンク上の送信を介して１つまたは複数のアクセスポイントと通信することができる。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、単入力単出力システム、多入力多出力（ＭＩＭＯ）システム、または何らかの他のタイプのシステムを介して確立でき得る。
【０１２７】
ＭＩＭＯシステムは、データ伝送に複数の（ＮT）送信アンテナと複数の（ＮR）受信アンテナとを採用する。ＮT個の送信アンテナとＮR個の受信アンテナとによって形成されるＭＩＭＯチャネルは、空間チャネルとも呼ばれるＮS個の独立チャネルに分解され得る（ここでＮS≦最小値｛ＮT，ＮR｝である）。ＮS個の独立チャネルはそれぞれ１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０１２８】
ＭＩＭＯシステムは時分割複信（ＴＤＤ）および周波数分割複信（ＦＤＤ）をサポートすることができる。ＴＤＤシステムでは、順方向リンク送信と逆方向リンク送信とが同じ周波数領域上で行われるので、相反定理により逆方向リンクチャネルからの順方向リンクチャネルの推定が可能である。したがって、アクセスポイントで複数のアンテナが使用可能な場合、アクセスポイントは順方向リンクで送信ビーム形成利得を抽出することが可能になる。
【０１２９】
図１４は、例示のＭＩＭＯシステム１４００のワイヤレスデバイス１４１０（たとえば、アクセスポイント）とワイヤレスデバイス１４５０（たとえば、アクセス端末）とを示す。デバイス１４１０では、いくつかのデータストリームのトラフィックデータが、データソース１４１２から送信（ＴＸ）データプロセッサ１４１４に供給される。これで、各データストリームは、それぞれの送信アンテナを介して送信され得る。
【０１３０】
ＴＸデータプロセッサ１４１４は、コード化データを供給するために、そのデータストリーム用に選択された特定のコード化方式に基づいて、データストリームごとにトラフィックデータをフォーマットし、コード化し、インターリーブする。各データストリームのコード化されたデータは、ＯＦＤＭ技法を使用してパイロットデータで多重化され得る。パイロットデータは、典型的には、知られている方法で処理され、チャネル応答を推定するために受信機システムにおいて使用できる知られているデータパターンである。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ１４３０によって実行される命令によって判断され得る。データメモリ１４３２は、プロセッサ１４３０またはデバイス１４１０の他の構成要素によって使用されるプログラムコード、データ、および他の情報を記憶し得る。
【０１３１】
次いで、すべてのデータストリームの変調シンボルがＴＸ  ＭＩＭＯプロセッサ１４２０に供給され、ＴＸ  ＭＩＭＯプロセッサ１４２０はさらに（たとえば、ＯＦＤＭ用に）その変調シンボルを処理し得る。ＴＸ  ＭＩＭＯプロセッサ１４２０は、次いで、ＮT個の変調シンボルストリームを、ＮT個のトランシーバ（ＸＣＶＲ）１４２２Ａ〜１４２２Ｔに供給する。いくつかの態様では、ＴＸ  ＭＩＭＯプロセッサ１４２０は、データストリームのシンボルと、シンボルの送信元のアンテナとにビームフォーミング重みを付加する。
【０１３２】
各トランシーバ１４２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、トランシーバ１４２２Ａ〜１４２２ＴからのＮT個の変調信号は、それぞれＮT個のアンテナ１４２４Ａ〜１４２４Ｔから送信される。
【０１３３】
デバイス１４５０では、送信された変調信号はＮR個のアンテナ１４５２Ａ〜１４５２Ｒによって受信され、各アンテナ１４５２からの受信信号は、それぞれのトランシーバ（ＸＣＶＲ）１４５４Ａ〜１４５４Ｒに供給される。各トランシーバ１４５４は、それぞれの受信信号を調整（たとえば、フィルタリング、増幅、およびダウンコンバート）し、調整された信号をデジタル化して、サンプルを供給し、さらにそれらのサンプルを処理して、対応する「受信」シンボルストリームを供給する。
【０１３４】
次いで、受信（ＲＸ）データプロセッサ１４６０は、特定の受信機処理技法に基づいてＮR個のトランシーバ１４５４からＮR個の受信シンボルストリームを受信し、処理して、ＮT個の「検出」シンボルストリームを供給する。次いで、ＲＸデータプロセッサ１４６０は、各検出シンボルストリームを復調し、デインターリーブし、復号して、データストリームのトラフィックデータを復元する。ＲＸデータプロセッサ１４６０による処理は、デバイス１４１０におけるＴＸ  ＭＩＭＯプロセッサ１４２０およびＴＸデータプロセッサ１４１４によって実行される処理を補完するものである。
【０１３５】
プロセッサ１４７０は、どのプリコーディング行列を使用すべきかを周期的に判断する（後述）。プロセッサ１４７０は、行列の指数部と階級値部とを備える逆方向リンクメッセージを公式化する。データメモリ１４７２は、プロセッサ１４７０またはデバイス１４５０の他の構成要素によって使用されるプログラムコード、データ、および他の情報を記憶し得る。
【０１３６】
逆方向リンクメッセージは、通信リンクおよび／または受信データストリームに関する様々なタイプの情報を備えることができる。次いで、逆方向リンクメッセージは、データソース１４３６からいくつかのデータストリームのトラフィックデータをも受信するＴＸデータプロセッサ１４３８によって処理され、変調器１４８０によって変調され、トランシーバ１４５４Ａ〜１４５４Ｒによって調整され、デバイス１４１０に戻される。
【０１３７】
デバイス１４１０では、デバイス１４５０からの変調信号は、アンテナ１４２４によって受信され、トランシーバ１４２２によって調整され、復調器（ＤＥＭＯＤ）１４４０によって復調され、ＲＸデータプロセッサ１４４２によって処理されて、デバイス１４５０によって送信された逆方向リンクメッセージが抽出される。次いで、プロセッサ１４３０は、ビームフォーミング重みを決定するためにどのプリコーディング行列を使用すべきかを判断し、次いで、抽出されたメッセージを処理する。
【０１３８】
図１４はまた、通信構成要素が、本明細書で教示するネットワークリレーション制御動作を実行する１つまたは複数の構成要素を含むことができ得ることを示す。たとえば、ネットワークリレーション制御構成要素１４９０は、本明細書で教示するようにプロセッサ１４３０および／またはデバイス１４１０の他の構成要素と協働して、別のデバイス（たとえば、デバイス１４５０）との間でネットワークリレーション情報を送信／受信し得る。同様に、ネットワークリレーション制御構成要素１４９２は、プロセッサ１４７０および／またはデバイス１４５０の他の構成要素と協働して、別のデバイス（たとえば、デバイス１４１０）との間でネットワークリレーション情報を送信／受信し得る。各デバイス１４１０および１４５０について、説明する構成要素のうちの２つ以上の機能が単一の構成要素によって提供され得ることを諒解されたい。たとえば、単一の処理構成要素がネットワークリレーション制御構成要素１４９０およびプロセッサ１４３０の機能を提供し、また、単一の処理構成要素がネットワークリレーション制御構成要素１４９２およびプロセッサ１４７０の機能を提供し得る。
【０１３９】
本明細書の教示は、様々なタイプの通信システムおよび／またはシステム構成要素に組み込むことができる。いくつかの態様では、本明細書の教示は、利用可能なシステムリソースを共有することによって（たとえば、帯域幅、送信電力、符号化、インターリーブなどのうちの１つまたは複数を指定することによって）、複数のユーザとの通信をサポートすることが可能な多元接続システムにおいて採用でき得る。たとえば、本明細書の教示は次の技術のいずれか１つまたはそれらの組合せに適用ができる。たとえば、本明細書の教示は、符号分割多元接続（ＣＤＭＡ）システム、多重キャリアＣＤＭＡ（ＭＣＣＤＭＡ）、広帯域ＣＤＭＡ（Ｗ−ＣＤＭＡ（登録商標））、高速パケットアクセス（ＨＳＰＡ、ＨＳＰＡ＋）システム、時分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用できる。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計できる。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装することができる。ＵＴＲＡは、Ｗ−ＣＤＭＡおよび低チップレート（ＬＣＲ）を含む。ｃｄｍａ２０００技術は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができ得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ  Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実装できる。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されており、ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本開示のいくつかの態様については、３ＧＰＰ用語を使用して説明することがあるが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  Ｒｅｌ０、ＲｅｖＡ、ＲｅｖＢ）技術および他の技術に適用され得ることを理解されたい。
【０１４０】
本明細書の教示は、様々な装置（たとえば、ノード）に組み込む（たとえば、装置内に実装する、または装置によって実行する）ことができる。いくつかの態様では、本明細書の教示に従って実装されるノード（たとえば、ワイヤレスノード）はアクセスポイントまたはアクセス端末を備えることができる。
【０１４１】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られる。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備えることができ得る。したがって、本明細書で教示する１つまたは複数の態様は、電話（たとえば、セルラー電話またはスマートフォン）、コンピュータ（たとえば、ラップトップ）、携帯型通信デバイス、携帯型コンピューティングデバイス（たとえば、個人情報端末）、娯楽デバイス（たとえば、音楽デバイスまたはビデオデバイス、あるいは衛星ラジオ）、全地球測位システムデバイス、あるいはワイヤレス媒体を介して通信するように構成された他の好適デバイスに組み込むことができる。
【０１４２】
アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の同様の用語を備えるか、それらのいずれかとして実装されるか、あるいはそれらのいずれかとして知られることがある。
【０１４３】
いくつかの態様では、ノード（たとえば、アクセスポイント）は、通信システムのためのアクセスノードを備えることができる。そのようなアクセスノードは、たとえば、ネットワークへの有線またはワイヤレス通信リンクを介した、ネットワーク（たとえば、インターネットまたはセルラーネットワークなどワイドエリアネットワーク）のための、またはネットワークへの接続性を与えることができる。したがって、アクセスノードは、別のノード（たとえば、アクセス端末）がネットワークまたは何らかの他の機能にアクセスできるようにすることができる。さらに、上記のノードの一方または双方がポータブルであるか、または場合によっては相対的にポータブルでなくてもよいことを理解されたい。
【０１４４】
また、ワイヤレスノードは、非ワイヤレス方式で（たとえば、有線接続を介して）情報を送信および／または受信することができることを諒解されたい。したがって、本明細書で論じる受信機および送信機は、非ワイヤレス媒体を介して通信するために適切な通信インターフェース構成要素（たとえば、電子的または光学的インターフェース構成要素）を含むことができる。
【０１４５】
ワイヤレスノードは、好適なワイヤレス通信技術に基づくあるいはサポートする１つまたは複数のワイヤレス通信リンクを介して通信することができる。たとえば、いくつかの態様では、ワイヤレスノードはネットワークに関連付けることができる。いくつかの態様では、ネットワークはローカルエリアネットワークまたはワイドエリアネットワークを備えることができる。ワイヤレスデバイスは、本明細書で論じる様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートまたは使用することができる。同様に、ワイヤレスノードは、様々な対応する変調方式または多重化方式のうちの１つまたは複数をサポートまたは使用することができる。したがって、ワイヤレスノードは、上記または他のワイヤレス通信技術を使用して１つまたは複数のワイヤレス通信リンクを確立し、それを介して通信するために適切な構成要素（たとえば、エアインターフェース）を含むことができる。たとえば、ワイヤレスノードは、ワイヤレス媒体上の通信を可能にする様々な構成要素（たとえば、信号発生器および信号処理器）を含むことができる関連する送信機構成要素および受信機構成要素を持つワイヤレストランシーバを備えることができる。
【０１４６】
本明細書の教示は、大規模カバレージ（たとえば、一般にマクロセルネットワークまたはＷＡＮと呼ばれる３Ｇネットワークなどの広域セルラーネットワーク）と、より小規模のカバレージ（たとえば、一般にＬＡＮと呼ばれる住居ベースまたは建築物ベースのネットワーク環境）とを含むネットワークにおいて採用できる。アクセス端末（ＡＴ）がそのようなネットワーク中を移動する時、アクセス端末は、いくつかのロケーションでは、マクロカバレージを与えるアクセスポイントによってサービスされ、他のロケーションでは、より小規模のカバレージを与えるアクセスポイントによってサービスされることがある。いくつかの態様では、より小さいカバレージのノードを使用して、一定量ずつの容量の増分、屋内カバレージ、および（たとえば、より堅牢なユーザ経験のための）様々なサービスを提供することができる。
【０１４７】
比較的広いエリアにわたるカバレージを与えるノード（たとえば、アクセスポイント）をマクロアクセスポイントと呼び、比較的狭いエリア（たとえば、住居）にわたるカバレージを与えるノードをフェムトノードと呼ぶことがある。本明細書の教示は、他のタイプのカバレージエリアに関連付けられたノードに適用できる場合があることを諒解されたい。たとえば、ピコアクセスポイントは、マクロエリアよりも小さく、フェムトエリアよりも大きいエリアにわたるカバレージ（たとえば、商業建築物内のカバレージ）を与えることができ得る。様々な適用例では、マクロアクセスポイント、フェムトアクセスポイント、または他のアクセスポイントタイプのノードを指すために他の用語を使用することがある。たとえば、マクロアクセスポイントを、アクセスノード、基地局、アクセスポイント、ｅノードＢ、マクロセルなどとして構成し、またはそのように呼ばれることがある。また、フェムトアクセスポイントを、ホームノードＢ、ホームｅノードＢ、アクセスポイント基地局、フェムトセルなどとして構成し、またはそのように呼ばれることがある。いくつかの実装形態では、ノードを１つまたは複数のセルまたはセクタに関連付けることがある（たとえば、そのように呼ばれ、または分割することがある）。マクロアクセスポイント、フェムトアクセスポイント、またはピコアクセスポイントに関連付けられたセルまたはセクタは、それぞれ、マクロセル、フェムトセル、またはピコセルと呼ばれることがある。
【０１４８】
フェムトアクセスポイントへのアクセスは、いくつかの態様では、制限されることがある。たとえば、所与のフェムトアクセスポイントは、いくつかのサービスをいくつかのアクセス端末のみに提供することができる。いわゆる制限付き（または限定）アクセスを用いた展開では、所与のアクセス端末は、マクロセルモバイルネットワークと、フェムトアクセスポイントの定義されたセット（たとえば、対応するユーザ住居内に常駐するフェムトアクセスポイント）とによってのみサービスされ得る。いくつかの実施形態では、アクセスポイントは、少なくとも１つのノード（たとえば、アクセス端末）にシグナリング、データアクセス、登録、ページング、またはサービスのうちの少なくとも１つを提供しないように制限され得る。
【０１４９】
いくつかの態様では、（限定加入者グループホームノードＢと呼ばれることもある）制限付きフェムトアクセスポイントは、制限されたプロビジョニングされたアクセス端末のセットにサービスを提供するフェムトアクセスポイントである。このセットは、必要に応じて、一時的にまたは永続的に拡大され得る。いくつかの態様では、限定加入者グループ（ＣＳＧ）は、アクセス端末の共通のアクセス制御リストを共有するアクセスポイント（たとえば、フェムトアクセスポイント）のセットとして定義され得る。
【０１５０】
したがって、所与のフェムトアクセスポイントと所与のアクセス端末との間には様々な関係が存在し得る。たとえば、アクセス端末の観点から、オープンフェムトアクセスポイントは、無制限のアクセスを持つフェムトアクセスポイントを指すことがある（たとえば、そのフェムトアクセスポイントはすべてのアクセス端末にアクセスを許可する）。制限付きフェムトアクセスポイントは、何らかの形で制限された（たとえば、アクセスおよび／または登録について制限された）フェムトアクセスポイントを指すことがある。ホームフェムトアクセスポイントは、アクセス端末がアクセスし、そこで動作することを許可される（たとえば、永続的なアクセスが、１つまたは複数のアクセス端末の定義されたセットに与えられる）フェムトアクセスポイントを指すことがある。ハイブリッド（またはゲスト）フェムトアクセスポイントは、異なるアクセス端末が異なるサービスレベルを提供される（たとえば、あるアクセス端末では、部分的なアクセスおよび／または一時的アクセスが許可され得るが、他のアクセス端末ではフルアクセスが許可され得る）フェムトアクセスポイントを指すことがある。外来フェムトアクセスポイントは、おそらく非常事態（たとえば、９１１番）を除いて、アクセス端末がアクセスし、またはそこで動作することを許可されないフェムトアクセスポイントを指すことがある。
【０１５１】
制限付きフェムトアクセスポイントの観点から、ホームアクセス端末は、そのアクセス端末の所有者の住居内に設置された制限付きフェムトアクセスポイントへのアクセスを許可されるアクセス端末を指すことがある（通常、ホームアクセス端末は、そのフェムトアクセスポイントへの永続的なアクセス権を有する）。ゲストアクセス端末は、（たとえば、最終期限、使用時間、バイト、接続回数、または何らかの他の１つまたは複数の基準に基づいて制限された）制限付きフェムトアクセスポイントへの一時的アクセス権を有するアクセス端末を指すことがある。外来アクセス端末は、たとえば、おそらく９１１番などの非常事態を除いて、制限付きフェムトアクセスポイントにアクセスする許可を有していないアクセス端末（たとえば、制限付きフェムトアクセスポイントに登録する証明書または許可を有していないアクセス端末）を指すことがある。
【０１５２】
便宜上、本明細書の開示では、フェムトアクセスポイントの文脈で様々な機能について説明する。ただし、ピコアクセスポイントまたは他のタイプのアクセスポイントは、同じまたは同様の機能をより大きいカバレージエリアに与え得ることを諒解されたい。たとえば、所与のアクセス端末に対して、ピコアクセスポイントが制限され得、ホームピコアクセスポイントが定義され得る、などである。
【０１５３】
（たとえば、添付の図の１つまたは複数に関して）本明細書で説明した機能は、いくつかの態様では、添付の特許請求の範囲において同様に指定された「手段」機能に対応し得る。図１５〜図２１を参照すると、装置１５００、１６００、１７００、１８００、１９００、２０００、および２１００が、一連の相互に関係する機能モジュールとして表されている。ここで、無線状態を判定するためのモジュール１５０２は、少なくともいくつかの態様では、たとえば、本明細書で説明するコントローラに対応し得る。隣接関係情報に関する測定を行うためのモジュール１５０４は、少なくともいくつかの態様では、たとえば、本明細書で説明する受信機および／またはコントローラに対応し得る。隣接関係測定基準を受信するためのモジュール１５０６は、少なくともいくつかの態様では、たとえば、本明細書で説明する受信機および／またはコントローラに対応し得る。測定を行うべきかどうか／測定を何時行うべきかを判断するためのモジュール１５０８は、少なくともいくつかの態様では、たとえば、本明細書で説明するコントローラに対応し得る。隣接関係閾値を維持管理するためのモジュール１６０２は、少なくともいくつかの態様では、たとえば、本明細書で説明するメモリ構成要素に対応し得る。信号を受信するためのモジュール１６０４は、少なくともいくつかの態様では、たとえば、本明細書で説明する受信機および／またはコントローラに対応し得る。受信信号を閾値と比較するためのモジュール１６０６は、少なくともいくつかの態様では、たとえば、本明細書で説明するコントローラに対応し得る。測定を行うべきかどうかを判断するためのモジュール１６０８は、少なくともいくつかの態様では、たとえば、本明細書で説明するコントローラに対応し得る。隣接関係閾値を受信するためのモジュール１６１０は、少なくともいくつかの態様では、たとえば、本明細書で説明する受信機および／またはコントローラに対応し得る。ハンドオーバ閾値を維持管理するためのモジュール１６１２は、少なくともいくつかの態様では、たとえば、本明細書で説明するメモリ構成要素に対応し得る。ダイレクトインターフェースを確立するためのモジュール１７０２は、少なくともいくつかの態様では、たとえば、本明細書で説明するコントローラに対応し得る。隣接関係報告を受信するためのモジュール１７０４は、少なくともいくつかの態様では、たとえば、本明細書で説明する受信機および／またはコントローラに対応し得る。隣接関係メッセージを生成するためのモジュール１７０６は、少なくともいくつかの態様では、たとえば、本明細書で説明するコントローラに対応し得る。隣接関係メッセージを送信するためのモジュール１７０８は、少なくともいくつかの態様では、たとえば、本明細書で説明する送信機および／またはコントローラに対応し得る。隣接関係情報を収集するためのモジュール１８０２は、少なくともいくつかの態様では、たとえば、本明細書で説明するコントローラに対応し得る。メッセージを送信するためのモジュール１８０４は、少なくともいくつかの態様では、たとえば、本明細書で説明する送信機および／またはコントローラに対応し得る。すべての隣接関係情報を送信できるとは限らないと判断するためのモジュール１８０６は、少なくともいくつかの態様では、たとえば、本明細書で説明するコントローラに対応し得る。別のメッセージを送信するためのモジュール１８０８は、少なくともいくつかの態様では、たとえば、本明細書で説明する送信機および／またはコントローラに対応し得る。要求を受信するためのモジュール１８１０は、少なくともいくつかの態様では、たとえば、本明細書で説明する受信機および／またはコントローラに対応し得る。隣接関係情報を送信するためのモジュール１８１２は、少なくともいくつかの態様では、たとえば、本明細書で説明する送信機および／またはコントローラに対応し得る。メッセージを受信するためのモジュール１９０２は、少なくともいくつかの態様では、たとえば、本明細書で説明する受信機および／またはコントローラに対応し得る。メッセージを送信するためのモジュール１９０４は、少なくともいくつかの態様では、たとえば、本明細書で説明する送信機および／またはコントローラに対応し得る。隣接関係情報を受信するためのモジュール１９０６は、少なくともいくつかの態様では、たとえば、本明細書で説明する受信機および／またはコントローラに対応し得る。無線状態を判定するためのモジュール２００２は、少なくともいくつかの態様では、たとえば、本明細書で説明するコントローラに対応し得る。メッセージを送信するためのモジュール２００４は、少なくともいくつかの態様では、たとえば、本明細書で説明する送信機および／またはコントローラに対応し得る。時刻を識別するためのモジュール２００６は、少なくともいくつかの態様では、たとえば、本明細書で説明するコントローラに対応し得る。隣接関係報告基準を受信するためのモジュール２００８は、少なくともいくつかの態様では、たとえば、本明細書で説明する受信機および／またはコントローラに対応し得る。隣接関係情報を報告すべきかどうか／隣接関係情報を何時報告すべきかを判断するためのモジュール２０１０は、少なくともいくつかの態様では、たとえば、本明細書で説明するコントローラに対応し得る。隣接関係情報を収集するためのモジュール２１０２は、少なくともいくつかの態様では、たとえば、本明細書で説明するコントローラに対応し得る。隣接関係情報が即時に報告されるべきではないと判断するためのモジュール２１０４は、少なくともいくつかの態様では、たとえば、本明細書で説明するコントローラに対応し得る。隣接関係情報を記憶するためのモジュール２１０６は、少なくともいくつかの態様では、たとえば、本明細書で説明するメモリ構成要素に対応し得る。報告をトリガする条件を特定するためのモジュール２１０８は、少なくともいくつかの態様では、たとえば、本明細書で説明するコントローラに対応し得る。メッセージを送信するためのモジュール２１１０は、少なくともいくつかの態様では、たとえば、本明細書で説明する送信機および／またはコントローラに対応し得る。
【０１５４】
図１５〜図２１のモジュールの機能は、本明細書の教示に合致する様々な方法で実装され得る。いくつかの態様では、これらのモジュールの機能は、１つまたは複数の電気構成要素として実装できる。いくつかの態様では、これらのブロックの機能は、１つまたは複数のプロセッサ構成要素を含む処理システムとして実装できる。いくつかの態様では、これらのモジュールの機能は、たとえば、１つまたは複数の集積回路（たとえば、ＡＳＩＣ）の少なくとも一部を使用して実装できる。本明細書で論じるように、集積回路は、プロセッサ、ソフトウェア、他の関連した構成要素、またはそれらの何らかの組合せを含むことができる。これらのモジュールの機能は、本明細書で教示する方法とは別の何らかの方法で実装することもできる。いくつかの態様では、１５〜２１中の破線ブロックのうちの１つまたは複数は随意である。
【０１５５】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用でき得る。したがって、第１および第２の要素への言及は、そこで２つの要素のみが使用できること、または第１の要素が何らかの方法で第２の要素に先行しなければならないことを意味するものではない。また、別段の規定がない限り、要素のセットは１つまたは複数の要素を備え得る。さらに、詳細な説明または特許請求の範囲で使用される「Ａ、Ｂ、またはＣの少なくとも１つ」または「Ａ、Ｂ、またはＣのうちの１つまたは複数」または「Ａ、Ｂ、およびＣからなるグループの少なくとも１つ」という形式の用語法は、「ＡまたはＢまたはＣまたはそれら要素の任意の組合せ」を意味する。
【０１５６】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１５７】
さらに、本明細書で開示された態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計できる、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装できることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【０１５８】
本明細書で開示した態様に関して説明した様々な例示的な論理ブロック、モジュール、および回路は、集積回路（ＩＣ）、アクセス端末、またはアクセスポイント内に実装でき得るか、またはそれらによって実行でき得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、電気構成要素、光学構成要素、機械構成要素、あるいは本明細書で説明した機能を実行するように設計されたそれらの任意の組合せを備えることができ得、ＩＣの内部に、ＩＣの外側に、またはその両方に常駐するコードまたは命令を実行することができ得る。汎用プロセッサはマイクロプロセッサとすることができ得るが、代替として、プロセッサは、任意の従来のプロセッサ、コントローラ、マイクロコントローラ、または状態機械とすることができ得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１５９】
開示されたプロセス中のステップの特定の順序または階層は例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【０１６０】
１つまたは複数の例示的な実施形態では、説明した機能はハードウェア、ソフトウェア、ファームウェア、またはそれらの任意の組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体でよい。限定ではなく、例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを担持または記憶するために使用でき、コンピュータによってアクセスできる、任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイディスク（disc）を含み、この場合、ディスク（disk）は、通常、データを磁気的に再生し、ディスク（disc）はデータをレーザで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含めるべきである。コンピュータ可読媒体は任意の好適なコンピュータプログラム製品に実装でき得ることを諒解されたい。
【０１６１】
開示された態様の前述の説明は、当業者が本開示を実施または使用できるようにするために提供されるものである。これらの態様に対する様々な変形形態は当業者に容易に明らかになろう。本明細書で定義した一般的な原理は、本開示の範囲を逸脱せずに他の態様に適用でき得る。したがって、本開示は、本明細書で示した態様に限定されるものではなく、本明細書で開示した原理および新規の特徴に一致する最も広い範囲を与えられるべきである。
【図１】
2014150557.tif 000003
【図２】
2014150557.tif 000004
【図３】
2014150557.tif 000005
【図４】
2014150557.tif 000006
【図５】
2014150557.tif 000007
【図６】
2014150557.tif 000008
【図７】
2014150557.tif 000009
【図８】
2014150557.tif 000010
【図９】
2014150557.tif 000011
【図１０】
2014150557.tif 000012
【図１１】
2014150557.tif 000013
【図１２】
2014150557.tif 000014
【図１３】
2014150557.tif 000015
【図１４】
2014150557.tif 000016
【図１５】
2014150557.tif 000017
【図１６】
2014150557.tif 000018
【図１７】
2014150557.tif 000019
【図１８】
2014150557.tif 000020
【図１９】
2014150557.tif 000021
【図２０】
2014150557.tif 000022
【図２１】
2014150557.tif 000023
【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
隣接関係情報を収集する方法において、
隣接関係測定のための閾値を維持管理することと、
信号を受信することと、
前記受信された信号を前記閾値と比較することと、
隣接関係情報に関する測定を行うべきかどうかを、前記比較に基づいて判定することと
を備える方法。
【請求項２】
サービングアクセスポイントから前記閾値を受信することをさらに備える、
請求項１に記載の方法。
【請求項３】
ドライブテストの最小化サーバから前記閾値を受信することをさらに備える、
請求項１に記載の方法。
【請求項４】
前記受信された信号がパイロット信号を備える、
請求項１に記載の方法。
【請求項５】
前記受信された信号がシステム情報信号を備える、
請求項１に記載の方法。
【請求項６】
ハンドオーバ動作のための測定を行うための別の閾値を維持管理することをさらに備える、
請求項１に記載の方法。
【請求項７】
前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
請求項１に記載の方法。
【請求項８】
隣接関係情報を収集するための装置において、
隣接関係測定のための閾値を維持管理するように構成されたメモリ構成要素と、
信号を受信するように構成された受信機と、
前記受信された信号を前記閾値と比較するように構成され、隣接関係情報に関する測定を行うべきかどうかを前記比較に基づいて判定するようにさらに構成されたコントローラと
を備える装置。
【請求項９】
前記受信機が、サービングアクセスポイントから前記閾値を受信するようにさらに構成された、
請求項８に記載の装置。
【請求項１０】
前記受信機が、ドライブテストの最小化サーバから前記閾値を受信するようにさらに構成された、
請求項８に記載の装置。
【請求項１１】
前記受信された信号がパイロット信号を備える、
請求項８に記載の装置。
【請求項１２】
前記受信された信号がシステム情報信号を備える、
請求項８に記載の装置。
【請求項１３】
前記メモリ構成要素が、ハンドオーバ動作のための測定を行うための別の閾値を維持管理するようにさらに構成された、
請求項８に記載の装置。
【請求項１４】
前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
請求項８に記載の装置。
【請求項１５】
隣接関係情報を収集するための装置において、
隣接関係測定のための閾値を維持管理するための手段と、
信号を受信するための手段と、
前記受信された信号を前記閾値と比較するための手段と、
隣接関係情報に関する測定を行うべきかどうかを、前記比較に基づいて判定するための手段と
を備える装置。
【請求項１６】
サービングアクセスポイントから前記閾値を受信するための手段をさらに備える、
請求項１５に記載の装置。
【請求項１７】
前記受信された信号がパイロット信号を備える、
請求項１５に記載の装置。
【請求項１８】
コンピュータ読み取り可能な記録媒体であって、
コンピュータに、
隣接関係測定のための閾値を維持管理させ、
信号を受信させ、
前記受信された信号を前記閾値と比較させ、
隣接関係情報に関する測定を行うべきかどうかを、前記比較に基づいて判定させる
ためのコードを備える、コンピュータ読み取り可能な記録媒体。
【請求項１９】
前記コンピュータに、サービングアクセスポイントから前記閾値を受信させるためのコードをさらに備える、
請求項１８に記載のコンピュータ読み取り可能な記録媒体。
【請求項２０】
前記受信された信号がパイロット信号を備える、
請求項１８に記載のコンピュータ読み取り可能な記録媒体。
【手続補正２】
【補正対象書類名】明細書
【補正対象項目名】０１６１
【補正方法】変更
【補正の内容】
【０１６１】
開示された態様の前述の説明は、当業者が本開示を実施または使用できるようにするために提供されるものである。これらの態様に対する様々な変形形態は当業者に容易に明らかになろう。本明細書で定義した一般的な原理は、本開示の範囲を逸脱せずに他の態様に適用でき得る。したがって、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
［Ｃ１］  隣接関係情報を収集する方法において、
アクセス端末が規定の無線状態にあると判定することと、
前記アクセス端末が前記規定の無線状態にあるとの前記判定の結果、隣接関係情報に関する測定を行うことと
を備える方法。
［Ｃ２］  前記規定の無線状態は、隣接関係情報に関する前記測定が前記アクセス端末の少なくとも１つの指定の動作を妨害しないであろう状態を備える、
Ｃ１に記載の方法。
［Ｃ３］  前記少なくとも１つの指定の動作は、前記アクセス端末がトラフィックを送信するかまたはトラフィックを受信する少なくとも１つの動作を備える、
Ｃ２に記載の方法。
［Ｃ４］  前記少なくとも１つの指定の動作は、前記アクセス端末が隣接関係測定以外の測定を行う少なくとも１つの動作を備える、
Ｃ２に記載の方法。
［Ｃ５］  前記規定の無線状態は、ＩＤＬＥ状態、ＣＥＬＬ＿ＰＣＨ状態、ＤＲＸギャップを伴うＣＥＬＬ＿ＰＣＨ状態、ＵＲＡ＿ＰＣＨ状態、またはＣＥＬＬ＿ＦＡＣＨ状態を備える、
Ｃ１に記載の方法。
［Ｃ６］  隣接関係情報の前記測定は、前記アクセス端末が第１のセルのカバレージ内にある間に前記アクセス端末が受信できる、少なくとも１つのセルによって送信された信号を処理することを備え、
前記隣接関係情報は、前記第１のセルの隣接セルを識別する、
Ｃ１に記載の方法。
［Ｃ７］  前記第１のセルを介して隣接関係測定を受信することと、
隣接関係情報に関する前記測定を行うべきかどうか、または隣接関係情報に関する前記測定をどのように行うべきかを、前記受信した隣接関係測定基準に基づいて判断することと
をさらに備える、
Ｃ６に記載の方法。
［Ｃ８］  前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
Ｃ１に記載の方法。
［Ｃ９］  隣接関係情報を収集するための装置において、
前記装置が規定の無線状態にあると判定するように構成されたコントローラと、
前記装置が前記規定の無線状態にあるとの前記判定の結果、隣接関係情報に関する測定を行うように構成された受信機と
を備える装置。
［Ｃ１０］  前記規定の無線状態は、隣接関係情報に関する前記測定が前記装置の少なくとも１つの指定の動作を妨害しないであろう状態を備える、
Ｃ９に記載の装置。
［Ｃ１１］  前記少なくとも１つの指定の動作は、前記装置がトラフィックを送信するかまたはトラフィックを受信する少なくとも１つの動作を備える、
Ｃ１０に記載の装置。
［Ｃ１２］  前記少なくとも１つの指定の動作は、前記装置が隣接関係測定以外の測定を行う少なくとも１つの動作を備える、
Ｃ１０に記載の装置。
［Ｃ１３］  前記規定の無線状態は、ＩＤＬＥ状態、ＣＥＬＬ＿ＰＣＨ状態、ＤＲＸギャップを伴うＣＥＬＬ＿ＰＣＨ状態、ＵＲＡ＿ＰＣＨ状態、またはＣＥＬＬ＿ＦＡＣＨ状態を備える、
Ｃ９に記載の装置。
［Ｃ１４］  隣接関係情報の前記測定は、前記装置が第１のセルのカバレージ内にある間に前記装置が受信できる、少なくとも１つのセルによって送信された信号を処理することを備え、
前記隣接関係情報は、前記第１のセルの隣接セルを識別する、
Ｃ９に記載の装置。
［Ｃ１５］  前記受信機は、前記第１のセルを介して隣接関係測定基準を受信するようにさらに構成され、
前記コントローラは、隣接関係情報に関する前記測定を行うべきかどうか、または隣接関係情報に関する前記測定をどのように行うべきかを、前記受信した隣接関係測定基準に基づいて判断するようにさらに構成される、
Ｃ１４に記載の装置。
［Ｃ１６］  前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
Ｃ９に記載の装置。
［Ｃ１７］  隣接関係情報を収集するための装置において、
前記装置が規定の無線状態にあると判定するための手段と、
前記装置が前記規定の無線状態にあるとの前記判定の結果、隣接関係情報に関する測定を行うための手段と
を備える装置。
［Ｃ１８］  前記規定の無線状態は、隣接関係情報に関する前記測定が前記装置の少なくとも１つの指定の動作を妨害しないであろう状態を備える、
Ｃ１７に記載の装置。
［Ｃ１９］  前記規定の無線状態は、ＩＤＬＥ状態、ＣＥＬＬ＿ＰＣＨ状態、ＤＲＸギャップを伴うＣＥＬＬ＿ＰＣＨ状態、ＵＲＡ＿ＰＣＨ状態、またはＣＥＬＬ＿ＦＡＣＨ状態を備える、
Ｃ１７に記載の装置。
［Ｃ２０］  コンピュータプログラム製品において、
コンピュータに、
アクセス端末が規定の無線状態にあると判定させ、
前記アクセス端末が前記規定の無線状態にあるとの前記判定の結果、隣接関係情報に関する測定を行わせるためのコードを備えるコンピュータ可読媒体
を備えるコンピュータプログラム製品。
［Ｃ２１］  前記規定の無線状態は、隣接関係情報に関する前記測定が前記アクセス端末の少なくとも１つの指定の動作を妨害しないであろう状態を備える、
Ｃ２０に記載のコンピュータプログラム製品。
［Ｃ２２］  前記規定の無線状態は、ＩＤＬＥ状態、ＣＥＬＬ＿ＰＣＨ状態、ＤＲＸギャップを伴うＣＥＬＬ＿ＰＣＨ状態、ＵＲＡ＿ＰＣＨ状態、またはＣＥＬＬ＿ＦＡＣＨ状態を備える、
Ｃ２０に記載のコンピュータプログラム製品。
［Ｃ２３］  隣接関係情報を提供する方法において、
アクセス端末が規定の無線状態にあると判定することと、
前記アクセス端末が前記規定の無線状態にあるとの前記判定の結果、隣接関係情報を報告する旨のメッセージを送信することと
を備える方法。
［Ｃ２４］  前記規定の無線状態がＣＥＬＬ＿ＦＡＣＨ状態を備える、
Ｃ２３に記載の方法。
［Ｃ２５］  前記規定の無線状態がＣＥＬＬ＿ＤＣＨ状態を備える、
Ｃ２３に記載の方法。
［Ｃ２６］  前記規定の無線状態は、前記アクセス端末がアップリンクチャネルで信号を送信するように構成された状態を備える、
Ｃ２３に記載の方法。
［Ｃ２７］  前記隣接関係情報の前記報告が前記アクセス端末の少なくとも１つの指定の動作を妨害しないであろう時点を識別することをさらに備え、前記メッセージの前記送信が前記識別した時点に従ってスケジューリングされる、
Ｃ２３に記載の方法。
［Ｃ２８］  前記少なくとも１つの指定の動作は、前記アクセス端末がトラフィックを送信するかまたはトラフィックを受信する少なくとも１つの動作を備える、
Ｃ２７に記載の方法。
［Ｃ２９］  前記少なくとも１つの指定の動作は、前記アクセス端末が測定を行う少なくとも１つの動作を備える、
Ｃ２７に記載の方法。
［Ｃ３０］  前記アクセス端末は第１のセルによってサービスされ、
前記隣接関係情報は、前記第１のセルの隣接セルを識別する、
Ｃ２３に記載の方法。
［Ｃ３１］  前記第１のセルを介して隣接関係報告基準を受信することと、
前記隣接関係情報を報告すべきかどうか、または前記隣接関係情報をどのように報告すべきかを、前記受信した隣接関係報告基準に基づいて判断することと
をさらに備える、
Ｃ３０に記載の方法。
［Ｃ３２］  前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
Ｃ２３に記載の方法。
［Ｃ３３］  隣接関係情報を提供するための装置において、
前記装置が規定の無線状態にあると判定するように構成されたコントローラと、
前記装置が前記規定の無線状態にあるとの前記判定の結果、隣接関係情報を報告する旨のメッセージを送信するように構成された送信機と
を備える装置。
［Ｃ３４］  前記規定の無線状態がＣＥＬＬ＿ＦＡＣＨ状態を備える、
Ｃ３３に記載の装置。
［Ｃ３５］  前記規定の無線状態がＣＥＬＬ＿ＤＣＨ状態を備える、
Ｃ３３に記載の装置。
［Ｃ３６］  前記規定の無線状態は、前記装置がアップリンクチャネルで信号を送信するように構成された状態を備える、
Ｃ３３に記載の装置。
［Ｃ３７］  前記コントローラは、前記隣接関係情報の前記報告が前記装置の少なくとも１つの指定の動作を妨害しないであろう時点を識別するようにさらに構成され、
前記メッセージの前記送信が前記識別した時点に従ってスケジューリングされる、
Ｃ３３に記載の装置。
［Ｃ３８］  前記少なくとも１つの指定の動作は、前記装置がトラフィックを送信するかまたはトラフィックを受信する少なくとも１つの動作を備える、
Ｃ３７に記載の装置。
［Ｃ３９］  前記少なくとも１つの指定の動作は、前記装置が測定を行う少なくとも１つの動作を備える、
Ｃ３７に記載の装置。
［Ｃ４０］  前記装置は第１のセルによってサービスされ、
前記隣接関係情報は、前記第１のセルの隣接セルを識別する、
Ｃ３３に記載の装置。
［Ｃ４１］  前記受信機は、前記第１のセルを介して隣接関係報告基準を受信するようにさらに構成され、
前記コントローラは、前記隣接関係情報を報告すべきかどうか、または前記隣接関係情報をどのように報告すべきかを、前記受信した隣接関係報告基準に基づいて判断するようにさらに構成される、
Ｃ４０に記載の装置。
［Ｃ４２］  前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
Ｃ３３に記載の装置。
［Ｃ４３］  隣接関係情報を提供するための装置において、
前記装置が規定の無線状態にあると判定するための手段と、
前記装置が前記規定の無線状態にあるとの前記判定の結果、隣接関係情報を報告する旨のメッセージを送信するための手段と
を備える装置。
［Ｃ４４］  前記規定の無線状態がＣＥＬＬ＿ＦＡＣＨ状態を備える、
Ｃ４３に記載の装置。
［Ｃ４５］  前記規定の無線状態がＣＥＬＬ＿ＤＣＨ状態を備える、
Ｃ４３に記載の装置。
［Ｃ４６］  コンピュータプログラム製品において、
コンピュータに、
アクセス端末が規定の無線状態にあると判定させ、
前記アクセス端末が前記規定の無線状態にあるとの前記判定の結果、隣接関係情報を報告する旨のメッセージを送信させるためのコードを備えるコンピュータ可読媒体
を備えるコンピュータプログラム製品。
［Ｃ４７］  前記規定の無線状態がＣＥＬＬ＿ＦＡＣＨ状態を備える、
Ｃ４６に記載のコンピュータプログラム製品。
［Ｃ４８］  前記規定の無線状態がＣＥＬＬ＿ＤＣＨ状態を備える、
Ｃ４６に記載のコンピュータプログラム製品。
［Ｃ４９］  隣接関係情報を収集する方法において、
隣接関係測定のための閾値を維持管理することと、
信号を受信することと、
前記受信信号を前記閾値と比較することと、
隣接関係情報に関する測定を行うべきかどうかを、前記比較に基づいて判定することと
を備える方法。
［Ｃ５０］  サービングアクセスポイントから前記閾値を受信することをさらに備える、
Ｃ４９に記載の方法。
［Ｃ５１］  ドライブテストの最小化サーバから前記閾値を受信することをさらに備える、
Ｃ４９に記載の方法。
［Ｃ５２］  前記受信信号がパイロット信号を備える、
Ｃ４９に記載の方法。
［Ｃ５３］  前記受信信号がシステム情報信号を備える、
Ｃ４９に記載の方法。
［Ｃ５４］  ハンドオーバ動作のための測定を行うための別の１つの閾値を維持管理することをさらに備える、
Ｃ４９に記載の方法。
［Ｃ５５］  前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
Ｃ４９に記載の方法。
［Ｃ５６］  隣接関係情報を収集するための装置において、
隣接関係測定のための閾値を維持管理するように構成されたメモリ構成要素と、
信号を受信するように構成された受信機と、
前記受信信号を前記閾値と比較し、隣接関係情報に関する測定を行うべきかどうかを前記比較に基づいて判定するようにさらに構成されたコントローラと
を備える装置。
［Ｃ５７］  前記受信機が、サービングアクセスポイントから前記閾値を受信するようにさらに構成された、
Ｃ５６に記載の装置。
［Ｃ５８］  前記受信機が、ドライブテストの最小化サーバから前記閾値を受信するようにさらに構成された、
Ｃ５６に記載の装置。
［Ｃ５９］  前記受信信号がパイロット信号を備える、
Ｃ５６に記載の装置。
［Ｃ６０］  前記受信信号がシステム情報信号を備える、
Ｃ５６に記載の装置。
［Ｃ６１］  前記メモリ構成要素が、ハンドオーバ動作のための測定を行うための別の１つの閾値を維持管理するようにさらに構成された、
Ｃ５６に記載の装置。
［Ｃ６２］  前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
Ｃ５６に記載の装置。
［Ｃ６３］  隣接関係情報を収集するための装置において、
隣接関係測定のための閾値を維持管理するための手段と、
信号を受信するための手段と、
前記受信信号を前記閾値と比較するための手段と、
隣接関係情報に関する測定を行うべきかどうかを、前記比較に基づいて判定するための手段と
を備える装置。
［Ｃ６４］  サービングアクセスポイントから前記閾値を受信するための手段をさらに備える、
Ｃ６３に記載の装置。
［Ｃ６５］  前記受信信号がパイロット信号を備える、
Ｃ６３に記載の装置。
［Ｃ６６］  コンピュータプログラム製品において、
コンピュータに、
隣接関係測定のための閾値を維持管理させ、
信号を受信させ、
前記受信信号を前記閾値と比較させ、
隣接関係情報に関する測定を行うべきかどうかを、前記比較に基づいて判定させるためのコードを備えるコンピュータ可読媒体
を備えるコンピュータプログラム製品。
［Ｃ６７］  前記コンピュータ可読媒体が、前記コンピュータに、サービングアクセスポイントから前記閾値を受信させるためのコードをさらに備える、
Ｃ６６に記載のコンピュータプログラム製品。
［Ｃ６８］  前記受信信号がパイロット信号を備える、
Ｃ６６に記載のコンピュータプログラム製品。
［Ｃ６９］  隣接関係情報を提供する方法において、
アクセス端末において隣接関係情報を収集することと、
前記隣接関係情報はネットワークエンティティに即時に報告されるべきではないと判定することと、
前記隣接関係情報が即時に報告されるべきではないとの前記判定の結果、前記隣接関係情報を記憶することと
を備える方法。
［Ｃ７０］  前記隣接関係情報が即時に報告されるべきではないとの前記判定が、前記アクセス端末が規定の無線状態にないとの判定に基づく、
Ｃ６９に記載の方法。
［Ｃ７１］  前記規定の無線状態がＣＥＬＬ＿ＤＣＨ状態またはＣＥＬＬ＿ＦＡＣＨ状態を備える、
Ｃ７０に記載の方法。
［Ｃ７２］  前記記憶された隣接関係情報の前記報告をトリガする条件を識別することと、
前記条件の前記識別の結果、前記記憶された隣接関係情報を報告する旨のメッセージを送信することと
をさらに備える、
Ｃ６９に記載の方法。
［Ｃ７３］  前記メッセージは、前記アクセス端末が前記隣接関係情報を収集した少なくとも１つの時点を示す、
Ｃ７２に記載の方法。
［Ｃ７４］  前記メッセージは、前記隣接関係情報の一部分が有効ではないことを示す、
Ｃ７２に記載の方法。
［Ｃ７５］  前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
Ｃ６９に記載の方法。
［Ｃ７６］  隣接関係情報を提供するための装置において、
隣接関係情報を収集するように構成され、前記隣接関係情報がネットワークエンティティに即時に報告されるべきではないと判定するようにさらに構成されたコントローラと、
前記隣接関係情報が即時に報告されるべきではないとの前記判定の結果、前記隣接関係情報を記憶するように構成されたメモリ構成要素と
を備える装置。
［Ｃ７７］  前記隣接関係情報が即時に報告されるべきではないとの前記判定が、前記装置が規定の無線状態にないとの判定に基づく、
Ｃ７６に記載の装置。
［Ｃ７８］  前記規定の無線状態がＣＥＬＬ＿ＤＣＨ状態またはＣＥＬＬ＿ＦＡＣＨ状態を備える、
Ｃ７７に記載の装置。
［Ｃ７９］  前記コントローラは、前記記憶された隣接関係情報の前記報告をトリガする条件を識別するようにさらに構成され、
前記装置は、前記条件の前記識別の結果、前記記憶された隣接関係情報を報告する旨のメッセージを送信するように構成された送信機をさらに備える、
Ｃ７６に記載の装置。
［Ｃ８０］  前記メッセージは、前記装置が前記隣接関係情報を収集した少なくとも１つの時点を示す、
Ｃ７９に記載の装置。
［Ｃ８１］  前記メッセージは、前記隣接関係情報の一部分が有効ではないことを示す、
Ｃ７９に記載の装置。
［Ｃ８２］  前記隣接関係情報は、セル識別子と、セルグローバル識別子と、ロケーションエリアコードと、トラッキングエリアコードと、ルーティングエリアコードと、パブリックランドモバイルネットワーク識別子と、基準信号情報と、信号品質尺度とからなるグループのうちの少なくとも１つを備える、
Ｃ７６に記載の装置。
［Ｃ８３］  隣接関係情報を提供するための装置において、
隣接関係情報を収集するための手段と、
前記隣接関係情報はネットワークエンティティに即時に報告されるべきではないと判定するための手段と、
前記隣接関係情報が即時に報告されるべきではないとの前記判定の結果、前記隣接関係情報を記憶するための手段と
を備える装置。
［Ｃ８４］  前記隣接関係情報が即時に報告されるべきではないとの前記判定が、前記装置が規定の無線状態にないとの判定に基づく、
Ｃ８３に記載の装置。
［Ｃ８５］  前記規定の無線状態がＣＥＬＬ＿ＤＣＨ状態またはＣＥＬＬ＿ＦＡＣＨ状態を備える、
Ｃ８４に記載の装置。
［Ｃ８６］  コンピュータプログラム製品において、
コンピュータに、
アクセス端末において隣接関係情報を収集させ、
前記隣接関係情報はネットワークエンティティに即時に報告されるべきではないと判定させ、
前記隣接関係情報が即時に報告されるべきではないとの前記判定の結果、前記隣接関係情報を記憶させるためのコードを備えるコンピュータ可読媒体
を備えるコンピュータプログラム製品。
［Ｃ８７］  前記隣接関係情報が即時に報告されるべきではないとの前記判定が、前記アクセス端末が規定の無線状態にないとの判定に基づく、
Ｃ８６に記載のコンピュータプログラム製品。
［Ｃ８８］  前記規定の無線状態がＣＥＬＬ＿ＤＣＨ状態またはＣＥＬＬ＿ＦＡＣＨ状態を備える、
Ｃ８７に記載のコンピュータプログラム製品。
【外国語明細書】
2014150557000001.pdf